(57)【要約】【課題】映像信号の出力偏差がなく、良好な階調表示を実現できる画像表示装置を提供する。【解決手段】表示画面と、ゲート信号線と、ソース信号線と、ゲート信号線に制御電圧を印加するゲートドライバ回路と、ソース信号線に映像信号を印加するソースドライバ回路とを具備し、ソースドライバ回路は、入力された画像データを保持するラッチ回路と、ラッチ回路からの画像データをデジタル−アナログ変換するＤＡ回路と、差動回路を有しＤＡ回路の出力信号をバッファして映像信号を出力する出力回路とを有し、ＤＡ回路がデジタル−アナログ変換する周期をＴとしたとき、出力回路は、差動回路を構成する第１の電流系統に配置されたトランジスタと第２の電流系統に配置されたトランジスタとを、ｎ×Ｔ（ｎは、１以上の整数）の周期ごとに入れ替えて動作させることにより、極性の異なるオフセット電圧を映像信号に交互に重畳する。【選択図】図１２
2015094789.tif 000002
【特許請求の範囲】
【請求項１】
画素がマトリックス状に配置された表示画面と、
前記画素の行ごとに配置されたゲート信号線と、
前記画素の列ごとに配置されたソース信号線と、
前記ゲート信号線に制御電圧を印加するゲートドライバ回路と、
前記ソース信号線に映像信号を印加するソースドライバ回路とを具備し、
前記ソースドライバ回路は、
入力された前記映像信号を保持するラッチ回路と、
前記ラッチ回路からの前記映像信号をデジタル−アナログ変換するＤＡ回路と、
差動回路を有し前記ＤＡ回路の出力信号をバッファして前記映像信号を出力する出力回路とを有し、
前記ＤＡ回路がデジタル−アナログ変換する周期をＴとしたとき、
前記出力回路は、前記差動回路を構成する第１の電流系統に配置されたトランジスタと第２の電流系統に配置されたトランジスタとを、ｎ×Ｔ（ｎは、１以上の整数）の周期ごとに入れ替えて動作させることにより、極性の異なるオフセット電圧を前記映像信号に交互に重畳する
画像表示装置。
【請求項２】
画素がマトリックス状に配置された表示画面と、
前記画素の行ごとに配置されたゲート信号線と、
前記画素の列ごとに配置されたソース信号線と、
前記ゲート信号線に、制御電圧を印加するゲートドライバ回路と、
前記ソース信号線に映像信号を印加するソースドライバ回路とを具備し、
前記ソースドライバ回路は、
入力された前記映像信号を保持するラッチ回路と、
前記ラッチ回路からの前記映像信号をデジタル−アナログ変換するＤＡ回路と、
差動回路を有し前記ＤＡ回路の出力信号をバッファして前記映像信号を出力する出力回路とを有し、
前記ゲートドライバ回路が前記表示画面を走査する周期をＴとしたとき、
前記出力回路は、前記差動回路を構成する第１の電流系統に配置されたトランジスタと第２の電流系統に配置されたトランジスタとを、ｎ×Ｔ（ｎは、１以上の整数）の周期ごとに入れ替えて動作させることにより、極性の異なるオフセット電圧を前記映像信号に交互に重畳する
画像表示装置。
【請求項３】
画素がマトリックス状に配置された表示画面と、
前記画素の行ごとに配置されたゲート信号線と、
前記画素の列ごとに配置されたソース信号線と、
前記ゲート信号線に、制御電圧を印加するゲートドライバ回路と、
前記ソース信号線に映像信号を印加するソースドライバ回路とを具備し、
前記ソースドライバ回路は、
入力された第１の映像信号および第２の映像信号を順次保持するラッチ回路と、
前記ラッチ回路から入力された前記第１の映像信号または前記第２の映像信号をデジタル−アナログ変換するＤＡ回路と、
差動回路を有し前記ＤＡ回路の出力信号をバッファして前記映像信号を出力する出力回路とを有し、
前記ＤＡ回路が前記第１の映像信号または前記第２の映像信号をデジタル−アナログ変換する周期をＴ、前記ゲートドライバ回路が、前記表示画面を走査する周期をＴとしたとき、
前記出力回路は、前記差動回路を構成する第１の電流系統に配置されたトランジスタと第２の電流系統に配置されたトランジスタとを、ｎ×Ｔ（ｎは、１以上の整数）の周期ごとに、入れ替えて動作させることにより、極性の異なるオフセット電圧を前記映像信号に交互に重畳する
画像表示装置。
【請求項４】
前記画素は、ＥＬ発光素子を有する
請求項１〜３のいずれか１項に記載の画像表示装置。
【発明の詳細な説明】
【技術分野】
【０００１】
本開示は、液晶表示装置（ＬＣＤ）、有機エレクトロルミネッセンス（Ｏｒｇａｎｉｃ  Ｅｌｅｃｔｒｏ−Ｌｕｍｉｎｅｓｃｅｎｃｅ。以下、ＥＬ、またはＯＬＥＤと呼ぶことがある。）素子などを有する画像表示装置などの画像表示装置と、前記画像表示装置に用いるソースドライバ回路（ＩＣ）に関するものである。
【背景技術】
【０００２】
液晶素子あるいは有機ＥＬ素子をマトリックス状に備えたアクティブマトリックス（Ａｃｔｉｖｅ−Ｍａｔｒｉｘ、以下、ＡＭと略する場合がある）型表示装置がスマートフォンなどの表示パネルに採用され、商品化されている。近年は、表示素子として、ＥＬ素子を用いた表示装置が販売させている。
【０００３】
ＥＬ素子は、アノード電極およびカソード電極間にＥＬ層が形成されている。ＥＬ素子は、アノード、カソード電極（端子）に供給された電流あるいは電圧により発光する。
【０００４】
画像表示装置に用いる表示パネルは、高階調化が進んでいる。近年では、赤（Ｒ）、緑（Ｇ）、青（Ｂ）の階調数は、１０ｂｉｔ（１０２４階調数）の表示パネルが使用され、１２ｂｉｔ（４０９６階調数）の表示パネルも出現している。表示パネルの表示階調数の高階調数化に伴い、使用するソースドライバＩＣ（回路）も、高階調のドライバＩＣが採用される。
【０００５】
従来、立体映像を表示させるために各種の方式が検討されている。その一例として、立体映像を視認するための視差に対応した一方の眼用の画像情報及び他方の眼用の画像情報を表示装置に交互に表示し、電子シャッター付メガネのシャッターを切替えることにより立体映像を生成する方式がある（例えば、特許文献１を参照）。
【０００６】
この方式では、立体映像の一画面の映像信号は、一方の眼用の画像情報が設定された第１フレームと他方の眼用の画像情報が設定された第２フレームとに分離される。そして、表示部に次の書き換え信号が入力されるまで前の画像の輝度が保持されるホールド型の表示方法により、第１フレームの画像情報と第２フレームの画像情報が交互に表示部に表示される。視聴者は、第１フレーム及び第２フレームに同期して左右のシャッターの開閉を行う電子シャッター付メガネを介して一画面分の立体映像を認識できる。
【０００７】
また、第１フレームの映像信号の表示期間と第２フレームの映像信号の表示期間との間に黒表示期間を設けることで、視聴者が第１フレームの映像と第２フレームの映像を混同して認識しないように構成されている。
【先行技術文献】
【特許文献】
【０００８】
【特許文献１】国際公開第２０１０／０８２４７９号
【発明の概要】
【発明が解決しようとする課題】
【０００９】
画像表示装置において、表示パネルが高階調化されると、ドライバＩＣの出力偏差の割合が、階調の１キザミに占める割合が大きくなる。また、出力偏差が、階調の１キザミよりも大きくなる。出力偏差が相対的に大きくなると、ドライバＩＣの出力偏差による表示ムラが発生する。ドライバＩＣの出力偏差による表示ムラは、画像表示品位を低下させる。また、ドライバＩＣの出力偏差をドライバＩＣの設計により低減させようとすると、ドライバＩＣの出力段が大きくなり、ドライバＩＣの価格が高くなる。
【００１０】
本開示は、上述の課題に鑑みてなされたものであり、映像信号の出力偏差がなく、良好な階調表示を実現できる画像表示装置を提供することを目的とする。
【課題を解決するための手段】
【００１１】
本開示に係る画像表示装置は、画素がマトリックス状に配置された表示画面と、画素の行ごとに配置されたゲート信号線と、画素の列ごとに配置されたソース信号線と、ゲート信号線に、制御電圧を印加するゲートドライバ回路と、ソース信号線に映像信号を印加するソースドライバ回路を具備するものである。ソースドライバ回路は、入力された画像データを保持するラッチ回路と、ラッチ回路からの画像データを、デジタル−アナログ変換するＤＡ回路と、ＤＡ回路の出力信号をバッファして、映像信号を出力する出力回路を有する。出力回路は差動回路を有し、デジタル−アナログ変換するＤＡ回路が、周期をＴとしたとき、差動回路を構成する第１の電流系統に配置されたトランジスタと、第２の電流系統に配置されたトランジスタとを、ｎ×Ｔ（ｎは、１以上の整数）で、入れ替えることを特徴とするものである。
【発明の効果】
【００１２】
本開示によれば、映像信号の出力偏差がなく、良好な階調表示を実現できる画像表示装置を提供することができる。
【図面の簡単な説明】
【００１３】
【図１】従来の画像表示装置の説明図である。
【図２】従来のソースドライバ回路（ＩＣ）の構成図である。
【図３】従来のソースドライバ回路（ＩＣ）の出力段の説明図である。
【図４】従来のソースドライバ回路（ＩＣ）の出力段の説明図である。
【図５】本実施の形態にかかるソースドライバ回路（ＩＣ）の構成図である。
【図６】本実施の形態にかかるソースドライバ回路（ＩＣ）の出力段の説明図である。
【図７】本実施の形態にかかるソースドライバ回路（ＩＣ）の出力回路の説明図である。
【図８】本実施の形態にかかるソースドライバ回路（ＩＣ）の出力バッファの構成図である。
【図９】本実施の形態にかかるソースドライバ回路（ＩＣ）の出力回路の説明図である。
【図１０】本実施の形態にかかるソースドライバ回路（ＩＣ）の出力段の説明図である。
【図１１】本実施の形態にかかるソースドライバ回路（ＩＣ）の出力段の説明図である。
【図１２】本実施の形態にかかる画像表示装置の駆動方法の説明図である。
【図１３】本実施の形態にかかる画像表示装置の駆動方法の説明図である。
【図１４】本実施の形態にかかる画像表示装置の駆動方法の説明図である。
【図１５】本実施の形態にかかるソースドライバ回路（ＩＣ）の構成図である。
【図１６】本実施の形態にかかるソースドライバ回路（ＩＣ）の出力段の説明図である。
【図１７】本実施の形態にかかるソースドライバ回路（ＩＣ）の出力段の説明図である。
【図１８】本実施の形態にかかるソースドライバ回路（ＩＣ）の出力段の説明図である。
【図１９】本実施の形態にかかるソースドライバ回路（ＩＣ）の出力段の説明図である。
【図２０】本実施の形態にかかるソースドライバ回路（ＩＣ）の出力段の説明図である。
【図２１】本実施の形態にかかるソースドライバ回路（ＩＣ）の説明図である。
【図２２】本実施の形態にかかるソースドライバ回路（ＩＣ）の説明図である。
【図２３】本実施の形態にかかるソースドライバ回路（ＩＣ）の説明図である。
【図２４】本実施の形態にかかる画像表示装置の駆動方法の説明図である。
【図２５】本実施の形態にかかる画像表示装置の駆動方法の説明図である。
【図２６】本実施の形態にかかる画像表示装置の駆動方法の説明図である。
【図２７】本実施の形態にかかる画像表示装置の駆動方法の説明図である。
【図２８】本実施の形態にかかる画像表示装置の駆動方法の説明図である。
【図２９】本実施の形態にかかる画像表示装置の駆動方法の説明図である。
【図３０】本実施の形態にかかる画像表示装置の駆動方法の説明図である。
【図３１】本実施の形態にかかる画像表示装置の駆動方法の説明図である。
【図３２】本実施の形態にかかる画像表示装置の説明図である。
【図３３】本実施の形態にかかる画像表示装置の画素回路の説明図である。
【図３４】本実施の形態にかかる画像表示装置における画素回路の動作の説明図である。
【図３５】本実施の形態にかかる画像表示装置における画素回路の動作の説明図である。
【図３６】本実施の形態にかかる画像表示装置における画素回路の動作の説明図である。
【図３７】本実施の形態にかかる画像表示装置における画素回路の動作の説明図である。
【図３８】本実施の形態にかかる画像表示装置における画素回路の動作の説明図である。
【図３９】本実施の形態にかかる画像表示装置の説明図である。
【図４０】本実施の形態にかかる画像表示装置の駆動方法の説明図である。
【図４１】本実施の形態にかかる画像表示装置の駆動方法のタイミングチャート図である。
【図４２】本実施の形態にかかる画像表示装置の駆動方法の説明図である。
【図４３】本実施の形態にかかる画像表示装置の駆動方法の説明図である。
【図４４】本実施の形態にかかる画像表示装置の駆動方法のタイミングチャート図である。
【図４５】本実施の形態にかかる画像表示装置の駆動方法のタイミングチャート図である。
【図４６】本実施の形態にかかる画像表示装置の駆動方法のタイミングチャート図である。
【図４７】本実施の形態にかかる画像表示装置の駆動方法の説明図である。
【図４８】本実施の形態にかかる画像表示装置の駆動方法の説明図である。
【図４９】本実施の形態にかかる画像表示装置の駆動方法の説明図である。
【図５０】本実施の形態にかかる画像表示装置の駆動方法の説明図である。
【図５１】本実施の形態にかかる画像表示装置の駆動方法のタイミングチャート図である。
【図５２】本実施の形態にかかる画像表示装置の駆動方法のタイミングチャート図である。
【図５３】本実施の形態にかかる画像表示装置の駆動方法のタイミングチャート図である。
【図５４】本実施の形態にかかる画像表示装置の駆動方法のタイミングチャート図である。
【図５５】本実施の形態にかかる画像表示装置の説明図である。
【図５６】本実施の形態にかかる画像表示装置の説明図である。
【図５７】本実施の形態にかかる画像表示装置の説明図である。
【発明を実施するための形態】
【００１４】
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【００１５】
なお、発明者らは、当業者が本開示を十分に理解するために添付図面および以下の説明を提供するものであって、これらによって請求の範囲に記載の主題を限定することを意図するものではない。
【００１６】
図１は、表示パネル２０とゲートドライバ回路（ＩＣ）１４、ソースドライバ回路（ＩＣ）１６などを有する従来の画像表示装置の説明図である。
【００１７】
発光素子を有する画素１６は、表示画面５２２にマトリックス状に配置されている。画素１６には、一例として、４本のゲート信号線１７（１７ａ、１７ｂ、１７ｃ、１７ｄ）と、ソース信号線１８とが形成されている。
【００１８】
ソースドライバ回路（ＩＣ）１４は、ソース信号線１８に接続され、ソース信号線１８に映像信号を印加する。ゲートドライバ回路（ＩＣ）１２は、ゲート信号線１７に接続され、ゲート信号線１７に画素１６のスイッチ用トランジスタ（図示せず）をオンまたはオフさせる制御電圧を印加する。
【００１９】
ゲートドライバ回路（ＩＣ）１２、ソースドライバ回路（ＩＣ）１４は、ＣＯＦ（Ｃｈｉｐ  Ｏｎ  Ｆｉｌｍ）５２１に実装されている。表示パネル２０から発生する光によるハレーションを防止するため、ＣＯＦ５２１の表面、裏面に光吸収塗料、材料を塗布あるいは形成し、また、シートを貼り付けて、光を吸収するように構成している。また、ＣＯＦ５２１に実装されたゲートドライバ回路（ＩＣ）１２およびソースドライバ回路（ＩＣ）１４の表面に放熱板を配置または形成し、ゲートドライバ回路（ＩＣ）１２およびソースドライバ回路（ＩＣ）１４からの放熱を行う。また、表示パネル２０の裏面に放熱用のシャーシ（図示せず）を配置し、ゲートドライバ回路（ＩＣ）１２およびソースドライバ回路（ＩＣ）１４が発生する熱をシャーシに逃がす。シャーシと、ゲートドライバ回路（ＩＣ）１２およびソースドライバ回路（ＩＣ）１４、または、ＣＯＦ５２１とは、粘着剤などを用いて密着させる。
【００２０】
ゲートドライバ回路（ＩＣ）１２を実装したＣＯＦ５２１は、表示パネル２０およびゲートプリント基板５２４に電気的に接続されている。ＣＯＦ５２１と表示パネル２０、ＣＯＦ５２１とプリント基板との接続は、ＡＣＦ（Ａｎｉｓｏｔｒｏｐｉｃ  Ｃｏｎｄｕｃｔｉｖｅ  Ｆｉｌｍ）樹脂で接続される。ソースドライバ回路（ＩＣ）１４を実装したＣＯＦ５２１は、表示パネル２０およびソースプリント基板５２３に電気的に接続されている。
【００２１】
なお、ソースドライバ回路（ＩＣ）１４（もしくはソースドライバＩＣ）、ゲートドライバ回路（ＩＣ）１２（もしくはゲートドライバＩＣ）は、出力側に、ドライバ回路（ＩＣ）と、ソース信号線１８またはゲート信号線１７とを切り離すスイッチを具備している。
【００２２】
ソースドライバ回路（ＩＣ）１４のスイッチをオフすることにより、ソースドライバ回路（ＩＣ）１４とソース信号線１８間は、ハイインピーダンス状態にすることができる。スイッチは、ソースドライバ回路（ＩＣ）１４の設けられた端子に印加するロジック信号により制御することができる。
【００２３】
また、ゲートドライバ回路（ＩＣ）１２のスイッチをオフすることにより、ゲートドライバ回路（ＩＣ）１２とゲート信号線１７間は、ハイインピーダンス状態にすることができる。スイッチは、ゲートドライバ回路（ＩＣ）１２の設けられた端子に印加するロジック信号により制御することができる。
【００２４】
画素１６の画素電極は、ＩＴＯ、ＩＧＺＯ（インジウム（Ｉｎｄｉｕｍ）、ガリウム（Ｇａｌｌｉｕｍ）、亜鉛（Ｚｉｎｃ）、酸素（Ｏｘｙｇｅｎ））、ＩＺＯ、透明アモルファス酸化物半導体（ＴＡＯＳ）などからなる透明電極を用いることができる。
【００２５】
本実施の形態に係る画像表示装置では、画素１６の位置に対応して、赤（Ｒ）、緑（Ｇ）、青（Ｂ）からなるカラーフィルターを形成することができる。なお、カラーフィルターは、ＲＧＢに限定されものではない、シアン（Ｃ）、マゼンダ（Ｍ）、イエロー（Ｙ）色の画素を形成してもよい。また、白（Ｗ）の画素を形成してもよい。つまり、表示画面５２２にＲ、Ｇ、Ｂ、Ｗ画素回路をマトリックス状に配置する。
【００２６】
画素１６は、ＲＧＢの３画素回路、または、ＲＧＢＷの４画素回路で正方形の形状となるように作製する。したがって、Ｒ、Ｇ、Ｂの各画素は縦長の画素形状となる。
【００２７】
Ｒ、Ｇ、Ｂの画素開口率は、異ならせてもよい。開口率を異ならせることにより、各ＲＧＢの発光素子１５に流れる電流密度を異ならせることができる。電流密度を異ならせることにより、ＲＧＢの発光素子１５の劣化速度を同一にすることができる。劣化速度を同一にすれば、画像表示装置のホワイトバランスずれが発生しない。
【００２８】
画像表示装置のカラー化は、マスク蒸着により行うが、本実施の態様はこれに限定するものではない。たとえば、青色発光のＥＬ層を形成し、発光する青色光を、Ｒ、Ｇ、Ｂの色変換層（ＣＣＭ：カラーチェンジミディアムズ）でＲ、Ｇ、Ｂ光に変換してもよい。
【００２９】
なお、画像表示装置の光出射面には、円偏光板（円偏光フィルム）（図示せず）を配置することができる。偏光板と位相フィルムを一体したものは円偏光板（円偏光フィルム）と呼ばれる。
【００３０】
図２は、画像表示装置のソースドライバ回路（ＩＣ）１４のブロック図である。図２において、シフトレジスタ４９３には、シフト方向を切り替えるＳＥＬ（１：０）が印加される。また、シフトレジスタ４９３のスタートパルスＤＩＯ１、ＤＩＯ２が印加される。
【００３１】
デジタルレシーバー４９１には、１０組の差動入力信号ＬＶ０Ａ、ＬＶ０Ｂ〜ＬＶ９Ａ、ＬＶ９Ｂが印加される。デジタルレシーバー４９１からの映像信号は、ラッチ回路４９４にラッチされ、１Ｈ（１水平走査期間）または２Ｈ（２水平走査期間）の期間保持される。
【００３２】
ラッチ回路４９４は、遅延回路４９５に入力され、遅延回路で映像信号の遅延が調整される。遅延回路４９５の出力は、デジタル−アナログ変換回路（ＤＡ回路）４９６に印加され、ＤＡ回路４９６は、ガンマ設定回路４９２に設定されている電圧ＶＸ１−６（Ｘ：ＲまたはＧまたはＢ）にしたがって、ガンマ変換されたアナログ電圧を出力する。
【００３３】
ＤＡ回路４９６からの出力は、出力バッファ回路４９７に入力され、スイッチ回路４９８を介して、ソース信号線Ｙ１〜Ｙ７２０に出力される。なお、出力バッファ回路４９７のバッファ能力は、強、中、弱のように複数のバッファ能力が設定できるように構成されている。
【００３４】
スイッチ回路４９８は、プリチャージ電圧と映像信号電圧のいずれかを選択できるスイッチ回路であり、プリチャージ電圧が選択されると、プリチャージ電圧がソース信号線１８に印加され、ソース信号線１８の蓄積された電荷を強制的に充放電させる。
【００３５】
ガンマ特性は、リニア（線形）に設定することが好ましい。ガンマ特性をリニアにするためには、ＶＸ６（Ｘは、Ｒ、Ｇ、Ｂの記号がはいる）端子に、電圧設定を行い、他の端子ＶＸ５〜ＶＸ１をオープン（開放）に設定すればよい。
【００３６】
なお、ＶＸ１〜６（Ｘは、Ｒ、Ｇ、Ｂの記号がはいる）端子には、ソースドライバ回路（ＩＣ）１４の外部から、電圧設定を行えるように構成されている。電圧設定により、自由にガンマカーブを設定できる。
【００３７】
図２に図示するように、出力バッファ回路４９７は、カレントミラーなどからなる差動回路、出力増幅回路などから構成され、出力バッファ回路４９７の内部に、出力端子数に対応する出力回路２１が形成されている。たとえば、ソースドライバ回路（ＩＣ）１４の出力数が、７２０出力であれば、出力回路２１は、７２０個の出力回路が形成される。
【００３８】
なお、出力回路２１は、デジタル−アナログ変換回路（Ｄｉｇｉｔａｌ  ｔｏ  Ａｎａｌｏｇ  Ｃｏｎｖｅｒｔｅｒ）４９６で、デジタル−アナログ（ＤＡ）変換された画像データを、バッファ、増幅、低インピーダンス化などを行い、出力端子Ｙに出力する機能を有するものである。なお、出力回路２１の入力は、デジタル−アナログ変換回路（Ｄｉｇｉｔａｌ  ｔｏ  Ａｎａｌｏｇ  Ｃｏｎｖｅｒｔｅｒ）４９６の出力に限定されるものではない。たとえば、出力回路２１に、直接にアナログの画像データ（画像信号）に、入力する構成であってもよい。この場合は、デジタル−アナログ変換回路（Ｄｉｇｉｔａｌ  ｔｏ  Ａｎａｌｏｇ  Ｃｏｎｖｅｒｔｅｒ）４９６は、ソースドライバ回路（ＩＣ）１４には不要である。
【００３９】
図３は、出力バッファ回路４９７の出力回路およびその動作の説明図である。図３は、説明に必要な構成のみの回路構成を記載し、他の部分などは省略している。
【００４０】
出力回路２１は、入力のＩＮ（−）とＩＮ（＋）の差分を二段増幅する。一段増幅では、要求される諸特性を満たすことが出来ない場合が多いためである。図３において、左側が差動回路とカレントミラー回路から成る初段の差動増幅部、右側が二段目の出力増幅部である。
【００４１】
図３おけるトランジスタＰ１、Ｐ４のＰＭＯＳは定電流源である。トランジスタＰ１、Ｐ２、Ｐ３で、差動回路を構成する。トランジスタＮ１、Ｎ２はカレントミラー回路である。トランジスタＰ４は出力への電流供給のみならず、電流源の出力抵抗が抵抗負荷としての役割も果たす。
【００４２】
トランジスタＮ１、Ｎ２はカレントミラーを構成し、ＩＮ（＋）とＩＮ（−）の差分により電流が変化する。これにより、トランジスタＮ２が定電流源負荷である場合に比べてゲインは倍増する。出力増幅部は、トランジスタＰ４、Ｎ３で構成される。Ｃは、位相法相容量である。
【００４３】
出力回路２１の出力Ｏｕｔには、オフセット電圧（ｏｆｓ（＋）、ｏｆｓ（−））が発生することが知られている。オフセット電圧は、入力信号からの“ずれ”であるので、出力偏差電圧となる。ｏｆｓ（＋）は、所定電圧に対して、プラス方向に発生するオフセット電圧とし、ｏｆｓ（−）は、所定電圧に対して、マイナス方向に発生するオフセット電圧とする。
【００４４】
なお、Ｏｕｔ端子は、ＲＧＢの出力に対応する。たとえば、ＯｕｔＲは、赤（Ｒ）の出力端子である。ＯｕｔＧは、緑（Ｇ）の出力端子である。ＯｕｔＢは、青（Ｂ）の出力端子である。
【００４５】
オフセット電圧（ｏｆｓ（＋）、ｏｆｓ（−））は、通常、差動増幅部の半導体特性に基づいて発生し、半導体ＩＣ（あるいは回路）の製造上、制御が不可能、または困難なものである。オフセット電圧（ｏｆｓ（＋）、ｏｆｓ（−））は、Ｏｕｔ端子からの階調電圧に多重され、画像表示状態を悪化させる。
【００４６】
図４は、出力バッファ回路４９７の説明図である。出力バッファ回路４９７には、出力端子数の出力回路２１が形成されている。出力回路２１は、Ｉｎ入力端子に印加された階調電圧（映像信号）に対応して、Ｏｕｔ端子から、出力回路２１で駆動能力を増大された階調電圧（映像信号）が出力される。
【００４７】
Ｏｕｔ端子から出力される階調電圧は、出力回路２１のオフセット電圧が加えられる。オフセット電圧には、所定電圧に対して、プラス方向に発生するオフセット電圧ｏｆｓ（＋）と、所定電圧に対して、マイナス方向に発生するオフセット電圧ｏｆｓ（−）とがある。
【００４８】
図４は、プラス方向に発生するオフセット電圧ｏｆｓ（＋）を“（＋）”と図示、マイナス方向に発生するオフセット電圧ｏｆｓ（−）を“（−）”と図示している。
【００４９】
オフセット電圧の大きさ、および、オフセット電圧の（＋）と（−）との極性方向は、ソースドライバ回路（ＩＣ）１４の半導体プロセスのバラツキなどにより発生し、製造上、制御することが困難である。しかし、近接した出力回路２１は、オフセット電圧の大きさは近似し、また、極性も同一であることが多い。
【００５０】
図４では、一例として、Ｏｕｔ１は（＋）、Ｏｕｔ２は（＋）、Ｏｕｔ３は（＋）、Ｏｕｔ４は（＋）とオフセット電圧の極性が（＋）で連続した状態を示している。しかし、Ｏｕｔ５は（−）、Ｏｕｔ６は（＋）とオフセット電圧の極性が連続しない場合もある。
【００５１】
たとえば、図４のような、Ｏｕｔ端子からのオフセット電圧の出力状態であると、たとえば、すべてのＯｕｔ端子からの同一の階調電圧出力であっても、オフセット電圧が加算され、表示パネル２０の表示画面５２２に縦筋状の輝度ムラが発生する。輝度ムラが発生すると、画像表示品位を著しく悪化させる。
【００５２】
そこで、本開示にかかる画像表示装置について、以下説明する。以下に示す画像表示装置によると、映像信号の出力偏差がなく、良好な階調表示を実現できる画像表示装置を提供することができる。詳細には、ドライバＩＣの出力段のサイズが大きくなく、低価格化できるドライバＩＣ、および、高画質な映像表示、とりわけ高画質な３Ｄ映像表示を実現できる表示装置を提供することを目的とする。この画像表示装置により、ソースドライバ回路の出力偏差を減少させることができ、高階調表示の表示パネルにおいても、良好な画像表示を実現できる。また、とりわけ明るく高画質な３Ｄ映像表示を実現できる画像表示装置を提供することができる。
【００５３】
図５は、本実施の形態にかかる画像表示装置におけるソースドライバ回路（ＩＣ）１４の構成図である。なお、説明に不要な箇所は省略しており、また、たとえば、図２、図３など、以前に説明した箇所、事項は省略する。
【００５４】
図５と図２との差異は、図５では、出力バッファ（Ｏｕｔｐｕｔ  Ｂｕｆｆｅｒ）に、オフセットキャンセル操作端子（Ｔｋ端子）が、追加された点である。他の構成、事項には、基本的には図２と同様であるので説明を省略する。
【００５５】
図６は、オフセットキャンセル走査端子（Ｔｋ端子）の動作、制御方式の説明図である。Ｔｋ端子をハイ“Ｈ”と、ロー“Ｌ”では、出力Ｏｕｔからのオフセット電圧ｏｆｓが反転する。ここで、プラス側のオフセット電圧を“ｏｆｓ（＋）”とし、マイナス側のオフセット電圧を“ｏｆｓ（−）”とする。
【００５６】
Ｔｋ端子をハイ“Ｈ”で、オフセット電圧が“ｏｆｓ（＋）”となるか、“ｏｆｓ（−）”となるかは、出力回路２１の特性に依存する。図６では、Ｔｋ端子をハイ“Ｈ”で、オフセット電圧が“ｏｆｓ（＋）”となり、Ｔｋ端子をロー“Ｌ”で、オフセット電圧が“ｏｆｓ（−）”となる出力回路２１を例示している。出力回路２１の特定に依存して、Ｔｋ端子をハイ“Ｈ”で、オフセット電圧が“ｏｆｓ（−）”となり、Ｔｋ端子をロー“Ｌ”で、オフセット電圧が“ｏｆｓ（＋）”となる場合もある。
【００５７】
また、オフセット電圧“ｏｆｓ（＋）”、オフセット電圧“ｏｆｓ（−）”の大きさは、出力回路２１、あるいは、出力バッファ回路４９７の特定により異なる。また、オフセット電圧“ｏｆｓ（＋）”とオフセット電圧“ｏｆｓ（−）”の絶対値は、出力回路２１、あるいは、出力バッファ回路４９７により異なる場合がある。また、温度依存により、オフセット電圧ｏｆｓの発生方向の極性、大きさは異なってくる。
【００５８】
なお、図６では、理解を容易にするため、あるいは作図を容易にするため、階調電圧は図示していないが、オフセット電圧は、階調電圧信号に、重畳される電圧である。オフセット電圧が、階調電圧に、加算あるいは、減算して出力端子から出力される。
【００５９】
一例として、Ｔｋ端子は、図６に図示するように、時間Ｔ１、Ｔ２、Ｔ３でＴｋ端子に印加するロジック極性を変化させている。Ｔｋ＝“Ｈ”で、オフセット電圧は、“ｏｆｓ（＋）”となる、Ｔｋ“Ｌ”でオフセット電圧は、“ｏｆｓ（−）”となる。
【００６０】
図６で図示するように、Ｔｋ端子の切り替えは、Ｔ１、Ｔ２、Ｔ３、・・・・・・・としているが、通常、Ｔ１＝Ｔ２＝Ｔ３＝Ｔとし、一定周期Ｔで、Ｔｋ端子に印加するロジック電圧を変化させる。
【００６１】
一定周期Ｔとしては、１フレームあるいは１フィールド（１画面を書き換える時間あるいは周期）、１水平走査期間（１Ｈ）（１画素行を選択する期間あるいは時間）の整数倍ｎ（ｎは１以上の整数）とする。
【００６２】
図７は、本実施の形態にかかる画像表示装置に使用するソースドライバ回路（ＩＣ）１４の出力回路２１の構成図である。Ｔｋ端子に印加する制御ロジックにより、差動回路のトランジスタを入れ替える（図９、図１０、図１１）。
【００６３】
入れ替えるトランジスタの組は、図７、図９、図１０、図１１において、トランジスタＰ２とＰ３、トランジスタＮ１とＮ２である。つまり、電流源Ｐ１から分岐されて、対になる、あるいは対象なるトランジスタを入れ替える。または、１の電流を分岐する回路を構成するトランジスタの組（Ｐ２・Ｎ１、Ｐ３・Ｎ２）もしくは、（Ｐ２、Ｐ３）、（Ｎ１、Ｎ２）を入れ替える。もしくは、出力回路を構成するトランジスタの組を入れ替える。
【００６４】
出力Ｏｕｔに、オフセット電圧が発生するのは、出力回路２１の差動回路の特性から発生することが多い。図７、図８、図９、図１０、図１１は、本実施の形態にかかるオフセット電圧の制御方式、オフセット電圧の切り替え方式などを説明する説明図である。なお、図７は、図３に対応し、図８の（ａ）および（ｂ）は、図４に対応する。図３、図４で説明した事項などは説明を省略する。なお、後に詳述するが、図８の（ａ）は、Ｔｋ端子に“Ｈ”のロジック電圧が印加された場合であり、図８の（ｂ）は、Ｔｋ端子に“Ｌ”のロジック電圧が印加された場合である。
【００６５】
図８は、本実施の形態に係る出力バッファ回路４９７の構成図である。
【００６６】
図８の（ａ）および（ｂ）に示す出力バッファ回路４９７では、図７に示す出力回路２１にＴｋ端子が加えられたのと同様、Ｔｋ端子が付加されている。Ｔｋ端子に印加されたロジック電圧により、図９、図１０、図１１に図示するように、出力回路２１を構成するトランジスタが切り替えられる。出力回路２１のトランジスタの切り替えを行うのは、出力回路２１を構成するトランジスタにより、オフセット電圧が変化するからである。
【００６７】
ここで、オフセット電圧は、オフセットキャンセル操作のため端子Ｔｋを制御することにより、出力バッファ回路４９７を構成する出力回路２１において、周期Ｔで正負が反転される。
【００６８】
図８の（ａ）は、Ｔｋ端子に“Ｈ”のロジック電圧が印加された場合の一例である。図８の（ａ）に示すように、Ｏｕｔ１、Ｏｕｔ２、Ｏｕｔ３、Ｏｕｔ４、Ｏｕｔ５、Ｏｕｔ６、・・・・・、Ｏｕｔ７１９、Ｏｕｔ７２０のオフセット電圧の極性は、（＋）、（＋）、（＋）、（＋）、（−）、（＋）、・・・・・（−）、（−）となっている。
【００６９】
また、図８の（ｂ）は、Ｔｋ端子に“Ｌ”のロジック電圧が印加された場合の一例である。図８の（ｂ）に示すように、Ｏｕｔ１、Ｏｕｔ２、Ｏｕｔ３、Ｏｕｔ４、Ｏｕｔ５、Ｏｕｔ６、・・・・・、Ｏｕｔ７１９、Ｏｕｔ７２０のオフセット電圧の極性は、図８の（ａ）と逆極性であり、（−）、（−）、（−）、（−）、（＋）、（−）、・・・・・（＋）、（＋）となっている。
【００７０】
すなわち、たとえば、Ｏｕｔ１端子では、Ｔｋ端子のロジック信号により、Ｔ時間でオフセット電圧の極性が反転される。具体的には、（＋）、（−）、（＋）、（−）、（＋）、・・・・・・・と反転される。Ｏｕｔ５端子では、Ｔｋ端子のロジック信号により、周期Ｔでオフセット電圧が反転される。具体的には、（−）、（＋）、（−）、（＋）、（−）、（＋）、・・・・・・・と反転される。
【００７１】
図９は、本実施の形態に係る出力回路２１の構成を示す図である。この構成は、カレントミラー回路を構成するトランジスタＮ１とＮ２とを切り替える方式である。図９の（ａ）は、Ｔｋ端子に“Ｈ”のロジック電圧が印加された場合であり、図９の（ｂ）は、Ｔｋ端子に“Ｌ”のロジック電圧が印加された場合である。
【００７２】
図９の（ａ）と図９の（ｂ）とでは、カレントミラー回路を構成するトランジスタＮ１とトランジスタＮ２との位置が入れ替わっている。トランジスタＮ１とトランジスタＮ２との入れ替えは、トランジスタのａ端子とｂ端子とに形成されたスイッチ回路（図示せず）において、ａ端子とｂ端子とを入れ替えることにより実施する。なお、スイッチ回路（図示せず）は、一般的な回路構成であるので説明を省略する。
【００７３】
図９の（ａ）は、Ｔｋ端子に“Ｈ”のロジック電圧が印加された場合であり、出力回路２１の差動増幅部におけるカレントミラー回路において、トランジスタＮ１が左側、トランジスタＮ２が右側に配置されている。図９の（ｂ）は、Ｔｋ端子に“Ｌ”のロジック電圧が印加された場合であり、出力回路２１の差動増幅部におけるカレントミラー回路において、トランジスタＮ２が左側、トランジスタＮ１が右側に配置されている。
【００７４】
図９の（ａ）および（ｂ）に図示するように、カレントミラー回路を構成するトランジスタＮ１とＮ２とを入れ替えることにより、オフセット電圧が発生してもオフセット電圧ｏｆｓ（＋）とｏｆｓ（−）とが周期ＴでＯｕｔ出力として重畳される。また、周期Ｔより十分長い期間でみれば、オフセット電圧ｏｆｓ（＋）とｏｆｓ（−）とが、打ち消しあう。もしくは、オフセット電圧ｏｆｓ（＋）とｏｆｓ（−）とが変化する２Ｔ期間でみれば、オフセット電圧は（＋）と（−）とで平均化され、出力偏差はなくなる。
【００７５】
図１０は、本実施の形態に係る出力回路２１の構成を示す図である。この構成は、差動回路を構成するトランジスタＰ１とＰ２とを切り替える方式である。図１０の（ａ）は、Ｔｋ端子に“Ｈ”のロジック電圧が印加された場合であり、図１０の（ｂ）は、Ｔｋ端子に“Ｌ”のロジック電圧が印加された場合である。図１０の（ａ）と図１０の（ｂ）とでは、カレントミラー回路を構成するトランジスタＰ２とトランジスタＰ３との位置が入れ替わって動作させられている。トランジスタＰ２とトランジスタＰ３との入れ替えは、トランジスタのｃ端子とｄ端子とに形成されたスイッチ回路（図示せず）において、ｃ端子とｄ端子とを入れ替えることにより実施する。なお、スイッチ回路（図示せず）は、一般的な回路構成であるので説明を省略する。
【００７６】
図１０の（ａ）は、Ｔｋ端子に“Ｈ”のロジック電圧が印加された場合で、出力回路２１の差動増幅部におけるカレントミラー回路においてトランジスタＰ２が左側、トランジスタＰ３が右側に配置されている。図１０の（ｂ）は、Ｔｋ端子に“Ｌ”のロジック電圧が印加された場合で、カレントミラー回路においてトランジスタＰ３が左側、トランジスタＰ２が右側に配置されている。すなわち、トランジスタＰ２とＰ３とを、周期Ｔごとに入れ替えて動作させている。
【００７７】
図１０の（ａ）および（ｂ）に図示するように、カレントミラー回路を構成するトランジスタＰ２とＰ３とを入れ替えることにより、オフセット電圧が発生しても、オフセット電圧ｏｆｓ（＋）とｏｆｓ（−）とが周期ＴでＯｕｔ出力として重畳される。また、周期Ｔより十分長い期間でみれば、オフセット電圧ｏｆｓ（＋）とｏｆｓ（−）とが、打ち消しあう。また、２Ｔ期間で、オフセット電圧はキャンセルされる。
【００７８】
図１１は、出力回路２１の差動回路およびカレントミラー回路を構成する、トランジスタＰ２およびＮ１の組と、Ｐ３およびＮ２の組とを切り替える方式である。図１１の（ａ）は、Ｔｋ端子に“Ｈ”のロジック電圧が印加された場合であり、図１１の（ｂ）は、Ｔｋ端子に“Ｌ”のロジック電圧が印加された場合である。
【００７９】
図１１の（ａ）と図１１の（ｂ）とでは、カレントミラー回路および差動回路を構成するトランジスタＰ２およびＮ２の組と、トランジスタＰ３およびＮ２の組との位置が入れ替わっている。トランジスタＰ２およびＮ１の組と、トランジスタＰ３およびＮ２の組との入れ替えは、トランジスタのｃ端子とｄ端子とに形成されたスイッチ回路（図示せず）において、ｃ端子とｄ端子とを入れ替えることにより実施する。
【００８０】
図１１の（ａ）は、Ｔｋ端子“Ｈ”で、トランジスタＰ２およびＮ１の組が左側、トランジスタＰ３およびＮ２の組が右側に配置されている。図１１の（ｂ）は、Ｔｋ端子に“Ｌ”のロジック電圧が印加された場合で、トランジスタＰ３およびＮ２の組が左側、トランジスタＰ２およびＮ１の組が右側に配置されている。
【００８１】
図１１の（ａ）および（ｂ）に図示するように、カレントミラー回路および差動回路を構成する、ｃ端子およびｄ端子の接続状態を入れ替えることにより、オフセット電圧が発生しても、オフセット電圧ｏｆｓ（＋）とｏｆｓ（−）とが周期ＴでＯｕｔ出力として重畳され、周期Ｔより十分長い期間でみれば、オフセット電圧ｏｆｓ（＋）とｏｆｓ（−）とが打ち消しあう。
【００８２】
なお、Ｔｋ端子によるオフセットキャンセル電圧の発生方向を制御する回路構成は、図９、図１０、図１１のいずれでもよいが、特に、図１０の構成の場合に効果が高い。
【００８３】
図１２は、本実施の形態にかかる駆動方式の説明図である。一例として、Ｔは、１フレーム時間（１画面を書き換える時間あるいは周期）であるとしている。また、図１２の（ｂ）および（ｄ）は、任意のＯｕｔ端子の出力波形を模式的に図示している。
【００８４】
図１２において、図１２の（ａ）および（ｃ）は、オフセットキャンセル操作端子Ｔｋ端子のロジック信号により、発生するオフセット電圧（ｏｆｓ（＋）、ｏｆｓ（−））である。ただし、オフセット電圧ｏｆｓは、概念的に図示している。また、理解を容易にするため、オフセット電圧の大きさは誇張して図示している。通常、オフセット電圧は、５０ｍＶ以下であり、通常、２０ｍＶ程度である。なお、映像信号のＳｉｇ（最大電圧）は、４〜５（Ｖ）程度である。また、Ｔ＝ｔ１−０＝ｔ２−ｔ１＝ｔ３−ｔ２＝ｔ４−ｔ３＝・・・・・・としている。
【００８５】
図１２の（ａ）および（ｃ）は、オフセット電圧（ｏｆｓ（＋）、ｏｆｓ（−））を模式的に図示したものである。また、図１２の（ｂ）および（ｄ）は、端子Ｏｕｔからの出力である、映像信号電圧＋オフセット電圧を模式図で示したものである。また、図１２の（ｅ）は、図１２の（ｂ）と図１２の（ｄ）の出力波形を平均したものである。
【００８６】
理解を容易にするため、映像信号は、一例として、画面の上から下方向に、輝度が高くなる「ランプ」波形としている。「ランプ」波形は、０（Ｖ）〜Ｓｉｇ（Ｖ）まで変化するものとする。また、オフセット電圧は、ｏｆｓ（＋）、ｏｆｓ（−）とする。また、Ｔｋ端子が“Ｈ”で、オフセット電圧ｏｆｓ（＋）が映像信号に重畳されるとし、Ｔｋ端子が“Ｌ”で、オフセット電圧ｏｆｓ（−）が映像信号に重畳されるとする。また、Ｔ＝ｔ１−０＝ｔ２−ｔ１＝ｔ３−ｔ２＝ｔ４−ｔ３＝・・・・・・とする。
【００８７】
図１２の（ｂ）の出力波形ａは、映像信号に、図１２の（ａ）のオフセット電圧ａを重畳した出力波形である。図１２の（ｄ）の出力波形ｂは、映像信号に、図１２の（ｃ）のオフセット電圧ｂを重畳した出力波形である。
【００８８】
Ｔｋ端子へのロジック電圧は、Ｔ期間で反転するため、Ｔｋ端子へのロジック電圧に対応して、オフセット電圧ｏｆｓ（＋）とｏｆｓ（−）とが交互に出力される。したがって、図１２の（ｂ）に図示する出力波形ａとなる。
【００８９】
また、図１２の（ｃ）に図示するように、図１２の（ａ）と逆にＴｋ端子へのロジック電圧は、Ｔ期間で反転するため、Ｔｋ端子へのロジック電圧に対応して、オフセット電圧ｏｆｓ（−）とｏｆｓ（＋とが交互に出力される。したがって、図１２の（ｄ）に図示する出力波形ｂとなる。
【００９０】
実際には、任意のＯｕｔ出力から出力される信号波形は、Ｔ期間で、出力回路２１のＴｋ端子へのロジック信号が反転し、オフセット電圧も反転する。したがって、映像信号に重畳されるオフセット電圧は、ｏｆｓ（＋）とｏｆｓ（−）とが交互に重畳される。そのため、２Ｔ期間では、図１２の（ｂ）の出力波形ａと、図１２の（ｄ）の出力波形ｂとを平均した、図１２の（ｅ）の波形となる。
【００９１】
つまり、図１２の（ｅ）に示すように、オフセット電圧ｏｆｓ（＋）とｏｆｓ（−）とは打ち消され、図１２の（ｅ）に図示するように、オフセット電圧が重畳されていない信号波形が得られる。図１２の（ｅ）は、任意の画素に印加される、２Ｔ期間の出力波形ａと出力波形ｂの平均電圧を示している。もちろん、画素１６に印加される階調電圧は、自然画の場合、フレームごとに異なる。なお、図１２などでは、理解を容易にするため、画素１６には固定画像に対応する映像信号が印加されているとして説明している。
【００９２】
図１３は、Ｈ期間で映像信号が反転する場合の出力波形である。図１３の（ａ）の出力波形ａは、映像信号に、図１２の（ａ）のオフセット電圧ａを重畳した出力波形である。図１３の（ｂ）の出力波形ｂは、映像信号に、図１２の（ｃ）のオフセット電圧ｂを重畳した出力波形である。
【００９３】
Ｔｋ端子へ印加されるロジック電圧はＴ期間で反転するため、Ｔｋ端子へ印加されるロジック電圧に対応して、オフセット電圧ｏｆｓ（＋）とｏｆｓ（−）とが交互に出力される。したがって、図１３の（ａ）および図１３の（ｂ）に図示する出力波形ａ、ｂとなる。
【００９４】
実際には、任意のＯｕｔ出力から出力される信号波形は、Ｔ期間で、出力回路２１のＴｋ端子へのロジック信号が反転し、オフセット電圧も反転する。したがって、映像信号に重畳されるオフセット電圧は、ｏｆｓ（＋）とｏｆｓ（−）とが交互に重畳される。そのため、２Ｔ期間では、任意のＯｕｔ出力から出力される出力波形は、図１３の（ａ）の出力波形ａと、図１３の（ｂ）の出力波形ｂとが平均された、図１３の（ｃ）の波形となる。つまり、図１３の（ｃ）に示すように、ｏｆｓ（＋）とｏｆｓ（−）とは打ち消され、オフセット電圧が重畳されていない信号波形が印加された状態と等価になる。
【００９５】
図１４は、液晶表示パネルのように、＋極性の映像信号ｓｉｇ（＋）と−極性の映像信号ｓｉｇ（−）とが繰り返される信号波形（図１４の（ｃ））の実施の形態である。
【００９６】
任意のＯｕｔ出力から出力される信号波形は、Ｔ期間で、出力回路２１のＴｋ端子へのロジック信号が反転（図１４の（ａ））し、オフセット電圧も反転する（図１４の（ｂ））。したがって、映像信号に重畳されるオフセット電圧は、ｏｆｓ（＋）とｏｆｓ（−）とが交互に重畳される。
【００９７】
図１４の実施の形態では、図１４の（ｄ）に図示するように、映像信号（ｓｉｇ（＋）、ｓｉｇ（−））に、オフセット電圧が（ｏｆｓ（＋）、ｏｆｓ（−））が重畳される。なお、オフセット電圧が、図１４の（ｄ）のように、加算方向になる場合と、減算方向になる場合がある。しかし、２Ｔ以上の周期、あるいは２Ｔ期間単位では、平均すれば、正規の映像信号が各画素に印加されることになる。つまり、オフセット電圧ｏｆｓ（＋）とｏｆｓ（−）とは打ち消され、オフセット電圧が重畳されていない信号波形が印加された状態と等価になる。
【００９８】
以上より、オフセット電圧の極性は、Ｔ時間で反転するため、２Ｔ時間では、オフセット電圧ｏｆｓ（＋）とｏｆｓ（−）とが打ち消しあい、Ｏｕｔ端子の出力偏差が理論上は０となる。したがって、オフセット電圧の影響のない良好な画像表示（階調表示）を実現できる。
【００９９】
図１５は、本実施の形態にかかるソースドライバＩＣ（回路）１４の他の実施の形態における構成図である。なお、説明に不要な箇所は省略しており、また、以前に説明した箇所、事項は省略する。
【０１００】
図１５に示すソースドライバ回路（ＩＣ）１４が図２に示すソースドライバ回路（ＩＣ）１４と異なる点は、図１５に示すソースドライバ回路（ＩＣ）では、図１６にも図示するように、オフセット出力バッファ（Ｏｕｔｐｕｔ  Ｂｕｆｆｅｒ）制御のＴｋ端子に加えて、オフセットキャンセル動作の有効又は無効を設定するオフセットイネーブル端子（ＯＦＳ−ＥＮ端子）を付加した点である。他の構成、事項には、基本的には図２と同様であるので説明を省略する。
【０１０１】
図１７は、オフセットキャンセル走査端子（Ｔｋ端子）、オフセットイネーブル端子（ＯＦＳ−ＥＮ端子）の動作、制御方式の説明図である。Ｔｋ端子に印加されるロジック電圧がハイ“Ｈ”の場合とロー“Ｌ”の場合とでは、出力Ｏｕｔからのオフセット電圧ｏｆｓの極性が変化する。ＯＦＳ−ＥＮ端子に印加されるロジック電圧がハイ“Ｈ”の場合、Ｔｋ端子のロジック入力が「有効」、つまり、イネーブルとなる。ＯＦＳ−ＥＮ端子に印加されるロジック電圧がロー“Ｌ”の場合、Ｔｋ端子のロジック入力が「無効」、つまり、ディセーブルとなる。
【０１０２】
図１７の（ａ）に示すように、オフセット電圧Ａは、Ｔｋ端子に印加されるロジック電圧により、オフセット電圧ｏｆｓ（＋）とｏｆｓ（−）とが切り替えられている。また、図１７の（ｂ）に示すように、オフセット電圧Ｂは、オフセット電圧ＡにＯＦＳ−ＥＮ端子への制御ロジックに加えて、オフセット電圧ｏｆｓ（＋）とｏｆｓ（−）とが切り替えられている。
【０１０３】
図１７の（ｂ）において、ｔ４〜ｔ５を含む期間では、ＯＦＳ−ＥＮが、“Ｌ”であるため、オフセット電圧Ａのｏｆｓ（＋）は、オフセット電圧Ｂではｏｆｓ（−）となる。
【０１０４】
以上のように、ＯＦＳ−ＥＮ端子の制御により、Ｔｋ端子による制御を無効にできる。ＯＦＳ−ＥＮ端子により、Ｔｋ端子の機能を無効にすることにより、Ｏｕｔ端子のオフセットキャンセルを動作しないようにすることができる。この機能を用いることにより、ドライバＩＣの出力偏差などの検査が容易になる。したがって、検査工程で、所定値以上の出力偏差（オフセット電圧など）のドライバＩＣを規格外ＩＣとして、後工程に流品しないように選別することができる。
【０１０５】
Ｔｋ端子にハイ“Ｈ”のロジック信号を印加する場合に、オフセット電圧が“ｏｆｓ（＋）”となるか“ｏｆｓ（−）”となるかは、出力回路２１の特性に依存する。出力回路２１のオフセット電圧の極性は、連続することが多い。たとえば、オフセット電圧ｏｆｓ（＋）またはｏｆｓ（−）は、一方の極性が、数端子から数十端子が連続する場合が多い。
【０１０６】
出力Ｏｕｔにオフセット電圧が発生するのは、出力回路２１の差動回路の特性に基づくことが多い。図１８、図１９、図２０に示す差動増幅器は、図９、図１０、図１１に示す差動増幅器と比べてＯＦＳ−ＥＮ端子が付加されている点が異なっている。ＯＦＳ−ＥＮ端子へのロジック電圧の印加により、Ｔｋ端子の有効、無効が設定される。他の点は、図８などと同様であるので説明を省略する。
【０１０７】
本実施の形態に係る画像表示装置は、ソースドライバ回路（ＩＣ）１４の出力回路２１にＴｋ端子を備えることにより、オフセット電圧ｏｆｓ（＋）とｏｆｓ（−）とを打ち消しあい、出力端子から出力される階調電圧の偏差あるいは偏差バラツキを低減もしくはなくすことができる。
【０１０８】
図２１は、隣接した出力端子の出力偏差を逆極性とし、より出力偏差が画質に与える影響を低減するものである。図２１において、ＯＦＳ−ＥＮ端子に印加されるロジック電圧は、“Ｈ”レベルとし、Ｔｋ端子を“有効”な状態に設定している。
【０１０９】
図２１では、出力回路２１は、ＲＧＢに対応して、Ｔｋ端子が配置されている。なお、ＯｕｔＲは、赤（Ｒ）の出力端子であり、ＯｕｔＧは、緑（Ｇ）の出力端子であり、ＯｕｔＢは、青（Ｂ）の出力端子である。
【０１１０】
ＴｋＲ端子は、赤色の出力ＯｕｔＲの出力回路２１のＴｋ端子に接続されている。ＴｋＧ端子は、緑色の出力ＯｕｔＧの出力回路２１のＴｋ端子に接続されている。ＴｋＢ端子は、青色の出力ＯｕｔＢの出力回路２１のＴｋ端子に接続されている。
【０１１１】
したがって、ＴｋＲ端子の“Ｈ”、“Ｌ”なるロジック信号を入力することにより、赤色の出力ＯｕｔＲの出力回路２１のオフセット電圧ｏｆｓ（＋）およびｏｆｓ（−）が制御される。ＴｋＧ端子の“Ｈ”、“Ｌ”なるロジック信号を入力することにより、緑色の出力ＯｕｔＧの出力回路２１のオフセット電圧ｏｆｓ（＋）およびｏｆｓ（−）が制御される。ＴｋＢ端子の“Ｈ”、“Ｌ”なるロジック信号を入力することにより、青色の出力ＯｕｔＢの出力回路２１のｏｆｓ（＋）、ｏｆｓ（−）が制御される。以上の事項から、図２１に示す本実施の形態では、Ｒの出力回路、Ｇの出力回路、Ｂの出力回路を独立して、出力偏差（ｏｆｓ（＋）、ｏｆｓ（−））を制御することができる。
【０１１２】
図２１において、設定Ａでは、ＴｋＢ端子、ＴｋＧ端子、ＴｋＲ端子＝“Ｈ”、“Ｈ”、“Ｈ”の設定である。この場合の出力偏差の状態は、ＯｕｒＲ１、ＯｕｔＧ１、ＯｕｔＢ１、ＯｕｒＲ２、ＯｕｔＧ２、ＯｕｔＢ２、ＯｕｒＲ３＝ｏｆｓ（＋）、ｏｆｓ（＋）、ｏｆｓ（＋）、ｏｆｓ（＋）、ｏｆｓ（＋）、ｏｆｓ（＋）、ｏｆｓ（−）である。通常、出力回路２１の特性は、隣接した出力回路２１では近似し、そのため、出力回路のオフセット電圧も極性が連続することが多い。
【０１１３】
図２１の設定Ａの状態では、オフセット電圧のｏｆｓ（＋）が連続している。したがって、（＋）側の出力偏差が連続するため、表示画面の縦筋状に輝度ムラが発生し、輝度ムラは比較的太く表示されるため目立ちやすい。
【０１１４】
なお、ＴｋＢ端子、ＴｋＧ端子、ＴｋＲ端子＝“Ｈ”、“Ｈ”、“Ｈ”は、期間Ｔで反転させる。したがって、Ｔ期間後は、ＴｋＢ端子、ＴｋＧ端子、ＴｋＲ端子＝“Ｌ”、“Ｌ”、“Ｌ”に設定され、さらにその後のＴ期間後では、ＴｋＢ端子、ＴｋＧ端子、ＴｋＲ端子＝“Ｌ”、“Ｌ”、“Ｌ”と設定される。
【０１１５】
図２１の設定Ｂでは、ＴｋＢ端子、ＴｋＧ端子、ＴｋＲ端子＝“Ｌ”、“Ｈ”、“Ｌ”の設定である。つまり、ＴｋＲの設定が、設定Ａと異なる。ＴｋＲ、ＴｋＢを“Ｌ”に設定することにより、出力偏差の状態は、ＯｕｒＲ１、ＯｕｔＧ１、ＯｕｔＢ１、ＯｕｒＲ２、ＯｕｔＧ２、ＯｕｔＢ２、ＯｕｒＲ３＝ｏｆｓ（−）、ｏｆｓ（＋）、ｏｆｓ（−）、ｏｆｓ（−）、ｏｆｓ（＋）、ｏｆｓ（−）、ｏｆｓ（＋）となる。
【０１１６】
設定Ｂでは、オフセット電圧の偏差ｏｆｓ（＋）またはｏｆｓ（−）は連続するものが少ない。もしくは、隣接したＯｕｔ端子間で、オフセット電圧（出力偏差電圧）ｏｆｓの極性（ｏｆｓ（＋）、ｏｆｓ（−））が異なっている場合が多い。したがって、出力偏差が連続しないため（あるいは少ないため）、表示画面の縦筋状に輝度ムラが発生し難く、輝度ムラはほとんど発生しなくなり、輝度ムラがなく高画質化を実現できる。
【０１１７】
ソースドライバ回路（ＩＣ）１４の出力回路２１の面積を小さくすると、出力偏差が大きくなりやすいが、図２１に図示するように、各ＲＧＢで、出力偏差の極性を制御できるようにし、隣接したＯｕｔ端子（出力端子）で出力偏差電圧の極性を反転する（異ならせる）構成を採用することにより、ソースドライバ回路（ＩＣ）１４の出力回路２１の面積を小さくしても、輝度ムラが目立ちにくい。そのため、ソースドライバ回路（ＩＣ）１４のチップサイズを小さくでき、ドライバ回路（ＩＣ）の低コストが可能である。また、本ドライバ回路（ＩＣ）を採用する画像表示パネル、画像表示装置、画像表示モジュールの低コスト化を実現できる。
【０１１８】
なお、図２１において、ソースドライバ回路（ＩＣ）１４は、ＲＧＢ出力に対応するものを想定して説明したが、本実施の形態に係るソースドライバ回路（ＩＣ）１４はこれに限定されるものではない。たとえば、ＲＧＢに加えて、白（Ｗ）の画素からなるＲＧＢＷに対応するドライバ回路（ＩＣ）であってもよい。この場合は、ソースドライバ回路（ＩＣ）に、ＴｋＷ（白画素に対応）端子を付加すればよい。以上の事項は、他の実施の形態にも適用できることは言うまでもない。また、他の実施の形態と組み合わせできることも言うまでのない。
【０１１９】
図２２は、図２１の本実施の形態にかかるソースドライバ回路（ＩＣ）１４の変形例の一例である。図２２に示すＴｋ端子には、インバータ回路（ＩＣ）１６１が形成されている。インバータ回路（ＩＣ）１６１の出力ａと入力ｂとは、異なる出力回路２１に接続されている。
【０１２０】
インバータ回路（ＩＣ）１６１の入力ｂは、ＯｕｔＲ１、ＯｕｔＧ１、ＯｕｔＢ１、ＯｕｔＲ３、ＯｕｔＧ３、ＯｕｔＢ３、ＯｕｔＲ５、ＯｕｔＧ５、ＯｕｔＢ５、・・・・・・・に接続されている。インバータ回路（ＩＣ）１６１の出力ａは、ＯｕｔＲ２、ＯｕｔＧ２、ＯｕｔＢ２、ＯｕｔＲ４、ＯｕｔＧ４、ＯｕｔＢ４、ＯｕｔＲ６、ＯｕｔＧ６、ＯｕｔＢ６、・・・・・・・に接続されている。つまり、インバータ回路（ＩＣ）１６１の入力ｂは、奇数番目の画素列のＯｕｔ端子に接続され、インバータ回路（ＩＣ）１６１の出力ａは、偶数番目の画素列のＯｕｔ端子に接続されている。
【０１２１】
図２２において、設定Ａでは、ＯＦＳ−ＥＮ端子が、“Ｌ”であるので、Ｔｋ端子の設定は、“無効”となる。この場合の出力状態を、ＯｕｒＲ１、ＯｕｔＧ１、ＯｕｔＢ１、ＯｕｒＲ２、ＯｕｔＧ２、ＯｕｔＢ２、ＯｕｒＲ３、ＯｕｔＧ３、ＯｕｔＢ３、ＯｕｒＲ４、ＯｕｔＧ４、ＯｕｔＢ４、・・・・・＝ｏｆｓ（＋）、ｏｆｓ（＋）、ｏｆｓ（＋）、ｏｆｓ（＋）、ｏｆｓ（＋）、ｏｆｓ（＋）、ｏｆｓ（＋）、ｏｆｓ（＋）、ｏｆｓ（−）、ｏｆｓ（−）、ｏｆｓ（−）、ｏｆｓ（＋）、・・・・・とする。出力回路２１の特性は、隣接した出力回路２１では近似し、そのため、出力回路のオフセット電圧も極性が連続することが多い。
【０１２２】
図２２の設定Ａの状態（ＯＦＳ−ＥＮ＝“Ｌ”、Ｔｋ＝“Ｈ”）では、オフセット電圧のｏｆｓ（＋）が連続している。したがって、（＋）側の出力偏差が連続するため、表示画面の縦筋状に輝度ムラが発生し、輝度ムラは比較的太く表示されるため目立ちやすい。
【０１２３】
図２２の設定Ｂ（ＯＦＳ−ＥＮ＝“Ｈ”）では、インバータ回路（ＩＣ）１６１の入力ｂが“Ｈ”、出力ａが“Ｌ”の設定である。インバータの出力ｂを“Ｌ”となることにより、偶数番目の画素列の出力偏差電圧の極性が反転する。ＯｕｒＲ１、ＯｕｔＧ１、ＯｕｔＢ１、ＯｕｒＲ２、ＯｕｔＧ２、ＯｕｔＢ２、ＯｕｒＲ３、ＯｕｔＧ３、ＯｕｔＢ３、ＯｕｒＲ４、ＯｕｔＧ４、ＯｕｔＢ４、・・・・・＝ｏｆｓ（＋）、ｏｆｓ（＋）、ｏｆｓ（＋）、ｏｆｓ（−）、ｏｆｓ（−）、ｏｆｓ（−）、ｏｆｓ（＋）、ｏｆｓ（＋）、ｏｆｓ（−）、ｏｆｓ（＋）、ｏｆｓ（＋）、ｏｆｓ（−）、・・・・・となる。
【０１２４】
Ｔｋ端子により、出力回路２１を制御した設定Ｂでは、オフセット電圧の偏差ｏｆｓ（＋）またはｏｆｓ（−）は、画素列間で連続するものが少ない。もしくは、隣接した画素列のＯｕｔ端子間で、オフセット電圧（出力偏差電圧）ｏｆｓの極性（ｏｆｓ（＋）、ｏｆｓ（−））が異なっている場合が多い。したがって、出力偏差が連続しないため（あるいは少ないため）、表示画面の縦筋状に輝度ムラが発生し難く、輝度ムラはほとんど発生しなくなり、輝度ムラがなく高画質化を実現できる。
【０１２５】
なお、図２２において、ソースドライバ回路（ＩＣ）１４は、ＲＧＢ出力に対応するものを想定して説明したが、本発明はこれに限定するものではない。たとえば、ＲＧＢに加えて、白（Ｗ）の画素からなるＲＧＢＷに対応するドライバ回路（ＩＣ）であってもよい。この場合は、ソースドライバ回路（ＩＣ）１４に、白（Ｗ）画素に対応する端子を付加すればよい。以上の事項は、他の実施の形態にも適用できることは言うまでもない。また、他の実施の形態と組み合わせできることも言うまでのない。
【０１２６】
図２３は、隣接した出力端子の出力偏差を逆極性とし、より出力偏差が画質に与える影響を低減するものである。隣接した色（Ｒ、Ｇ、Ｂ）の画素列間でオフセット電圧（出力電圧偏差）の極性を逆極性となるように、ＴｋＢ、ＴｋＧ、ＴｋＲ端子を付加している。
【０１２７】
図２３の設定Ａの状態では、ＯＦＳ−ＥＮ＝“Ｌ”であるので、Ｔｋ端子は、“無効”状態となっている。この場合の出力状態を、ＯｕｒＲ１、ＯｕｔＧ１、ＯｕｔＢ１、ＯｕｒＲ２、ＯｕｔＧ２、ＯｕｔＢ２、ＯｕｒＲ３、ＯｕｔＧ３、ＯｕｔＢ３、ＯｕｒＲ４、ＯｕｔＧ４、ＯｕｔＢ４、・・・・・＝ｏｆｓ（＋）、ｏｆｓ（＋）、ｏｆｓ（＋）、ｏｆｓ（＋）、ｏｆｓ（＋）、ｏｆｓ（＋）、ｏｆｓ（＋）、ｏｆｓ（＋）、ｏｆｓ（−）、ｏｆｓ（−）、ｏｆｓ（−）、ｏｆｓ（＋）、・・・・・とする。以上の状態では、オフセット電圧のｏｆｓ（＋）が連続している。したがって、（＋）側の出力偏差が連続するため、表示画面の縦筋状に輝度ムラが発生し、輝度ムラは比較的太く表示されるため目立ちやすい。
【０１２８】
設定Ｂでは、ＯＦＳ−ＥＮ端子＝“Ｈ”としている。ＴｋＢ端子、ＴｋＧ端子、ＴｋＲ端子にはそれぞれ、インバータ回路（ＩＣ）１６１が接続されている。ＴｋＢ端子、ＴｋＧ端子、ＴｋＲ端子＝“Ｈ”、“Ｈ”、“Ｌ”と設定している。ＴｋＢ端子、ＴｋＧ端子、ＴｋＲ端子の入力は、“Ｈ”、“Ｈ”、“Ｌ”に設定され、インバータ回路（ＩＣ）１６１の出力は、“Ｌ”、“Ｌ”、“Ｈ”に設定される。なお、Ｔ期間は、ＴｋＢ端子、ＴｋＧ端子、ＴｋＲ端子＝“Ｌ”、“Ｌ”、“Ｈ”と設定される。
【０１２９】
図２３の設定Ｂでは、ＴｋＢ端子、ＴｋＧ端子、ＴｋＲ端子＝“Ｈ”、“Ｈ”、“Ｌ”の設定である。つまり、ＴｋＲの設定が、設定Ａと異なる。出力偏差の状態は、ＯｕｒＲ１、ＯｕｔＧ１、ＯｕｔＢ１、ＯｕｒＲ２、ＯｕｔＧ２、ＯｕｔＢ２、ＯｕｒＲ３、ＯｕｔＧ３、ＯｕｔＢ３、ＯｕｒＲ４、ＯｕｔＧ４、ＯｕｔＢ４、・・・・・＝ｏｆｓ（−）、ｏｆｓ（＋）、ｏｆｓ（＋）、ｏｆｓ（＋）、ｏｆｓ（−）、ｏｆｓ（−）、ｏｆｓ（−）、ｏｆｓ（＋）、ｏｆｓ（−）、ｏｆｓ（−）、ｏｆｓ（＋）、ｏｆｓ（−）、・・・・・となる。
【０１３０】
設定Ｂでは、設定Ａに比較して、オフセット電圧の偏差ｏｆｓ（＋）またはｏｆｓ（−）は連続するものが少ない。もしくは、隣接したＯｕｔ端子間で、オフセット電圧（出力偏差電圧）ｏｆｓの極性（ｏｆｓ（＋）、ｏｆｓ（−））が異なっている場合が多い。したがって、出力偏差が連続しないため（あるいは少ないため）、表示画面の縦筋状に輝度ムラが発生し難く、輝度ムラはほとんど発生しなくなり、輝度ムラがなく高画質化を実現できる。
【０１３１】
なお、図２３において、ソースドライバＩＣは、ＲＧＢ出力に対応するものを想定して説明したが、本発明はこれに限定するものではない。たとえば、ＲＧＢに加えて、白（Ｗ）の画素からなるＲＧＢＷに対応するドライバＩＣであってもよい。この場合は、ソースドライバＩＣに、ＴｋＷ（白画素に対応）端子を付加すればよい。以上の事項は、他の実施の形態にも適用できることは言うまでもない。また、他の実施の形態と組み合わせできることも言うまでのない。
【０１３２】
図２４は、本実施の形態にかかる画像表示装置の駆動方式の説明図である。なお、ソースドライバＩＣ１４の出力段は、図８、図２１、図２２、図２３のいずれか等が該当する。
【０１３３】
図２４は、ＥＬ表示パネルのように、映像信号が正極性の場合の実施の形態である。映像信号は、図２４の（ｃ）に図示するように、０（Ｖ）から最大Ｓｉｇ（Ｖ）の電圧振幅する画面縦方向のランプ波形としている。
【０１３４】
Ｔ期間で、出力回路２１のＴｋ端子へのロジック信号が反転（図２４の（ａ））し、オフセット電圧も反転する（図２４の（ｂ））。したがって、映像信号に重畳されるオフセット電圧は、ｏｆｓ（＋）、ｏｆｓ（−）が交互に重畳される（図２４の（ｂ））。図２４の実施の形態では、図２４の（ｄ）に図示するように、映像信号（０〜Ｓｉｇ）に、オフセット電圧が（ｏｆｓ（＋）、ｏｆｓ（−））が重畳される。
【０１３５】
オフセット電圧は、Ｔｋ端子のロジック信号により、オフセット電圧ｏｆｓ（＋）とｏｆｓ（−）とが切り替わる。ただし、Ｔｋ端子が“Ｈ”レベルの時、ｏｆｓ（＋）か、ｏｆｓ（−）が発生するかは、出力回路２１などの特性に依存する。同様に、Ｔｋ端子が“Ｌ”レベルの時、オフセット電圧ｏｆｓ（−）とｏｆｓ（＋）のどちらが発生するかは、出力回路２１などの特性に依存する。これらの事項が、図１８、図１９、図２０の回路構成にも依存する。また、ソースドライバ回路（ＩＣ）１４の半導体プロセス、ＩＣのロットによっても異なる。しかし、たとえば、図１８、図１９、図２０の各図の（ａ）と（ｂ）との動作を行えば、オフセット電圧の極性は反転する。また、２Ｔ期間の単位（ｏｆｓ（＋）とｏｆｓ（−）が発生する組単位）あるいは、２Ｔより十分長い期間でみれば、オフセット電圧ｏｆｓ（＋）とｏｆｓ（−）とは平均化され、０あるいは０近傍になる。
【０１３６】
図２４の（ｂ）に図示するように、Ｔｋ端子のロジック入力により、オフセット電圧ｏｆｓ（＋）とｏｆｓ（−）とが発生し、図２４の（ｃ）の映像信号は、加算方向になる場合（ｏｆｓ（＋））と減算方向になる場合（ｏｆｓ（−））とがある。したがって、出力回路２１のＯｕｔ端子から出力される映像信号は、図２４の（ｄ）に示すようになる（映像信号＋オフセット電圧）。しかし、２Ｔ以上の周期、あるいは２Ｔ期間単位では、ｏｆｓ電圧は平均されるので、画素１６には、正規の映像信号が各画素に印加されることになる。つまり、オフセット電圧ｏｆｓ（＋）とｏｆｓ（−）とは打ち消され、オフセット電圧が重畳されていない信号波形が印加された状態と等価になる。たとえば、図２４の（ｄ）は、図１２の（ｂ）に対応し、逆極性の場合については、図１２の（ｄ）が対応する。したがって、図１２で説明したように、平均化した映像信号（オフセット電圧を打ち消した状態）は、図１２の（ｅ）となる。
【０１３７】
以上のように、２Ｔ期間のＯｕｔ端子の出力偏差は、オフセット電圧ｏｆｓ（＋）とｏｆｓ（−）とが打ち消され、出力偏差は、０（なし）（Ｖ）となる。つまり、任意の画素１６において、第１フレームでは、映像信号＋ｏｆｓ（＋）が書き込まれるが、第１フレームの次の第２フレームでは、映像信号＋ｏｆｓ（−）が書き込まれる。したがって、第１フレームと第２フレームとで平均化すれば、オフセット電圧成分は打ち消しあい、映像信号に対応する画像が画素に表示される。
【０１３８】
映像信号に重畳されるオフセット電圧は、オフセット電圧ｏｆｓ（＋）とｏｆｓ（−）とが交互に重畳される。したがって、オフセット電圧は、オフセット電圧ｏｆｓ（＋）とｏｆｓ（−）とが打ち消しあい、出力回路のオフセット電圧による出力偏差電圧は非常に小さくなる。そのため、出力回路２１から出力される階調電圧は、オフセット電圧の影響を受けず、良好な階調出力を実現でき、良好な画像表示を実現できる。また、Ｔｋ端子を設け、あるいは、複数のＴｋ端子またはインバータ回路（ＩＣ）１６１を設けることにより、隣接した出力端子間で、オフセット電圧の発生極性を異ならせることにより、隣接した出力端子間あるいは近傍の出力端子間で、オフセット電圧の極性がランダマイズされ、出力偏差が視認されにくくなる。
【０１３９】
なお、以上の実施の形態では、ソースドライバ回路（ＩＣ）１４に付加されたＴｋ端子に印加するロジック信号により、出力回路２１などを操作し、オフセット電圧を制御するとした。しかし、本実施の形態に係る画像表示装置は、これに限定されるものではない。たとえば、ソースドライバ回路（ＩＣ）に入力される水平同期信号、クロック、および表示パネルの画素行数（１画面の水平同期信号の数）などを用いて、ソースドライバ回路（ＩＣ）内で、Ｔｋ端子に印加される信号を発生させてもよい。また、発生したｏｆｓ電圧の極性を切り替える信号によって、出力回路２１を制御してもよい。以上の事項は、本開示の他の実施の形態にも適用できることは言うまでもない。また、他の実施の形態と組み合わせることができることも言うまでもない。
【０１４０】
また、本実施の形態に係る画像表示装置は、出力回路２１などで発生するオフセット電圧もしくは出力偏差電圧を、複数期間にわたり、画素１６に交互に、あるいは、交互にみなす状態（たとえば、２回連続でｏｆｓ（＋）を書き込み、その後、２回連続でｏｆｓ（−）を書き込む）に書き込むことにより、時間方向で、オフセット電圧もしくは出力偏差電圧の影響を消去する方式である。また、好ましくは、隣接あるいは近傍の出力端子において、ｏｆｓ電圧の極性異なるように、制御する方式である。以上の事項は、本開示の他の実施の形態にも適用できることは言うまでもない。また、他の実施の形態と組み合わせることができることも言うまでもない。
【０１４１】
図２４の実施の形態に係る表示装置では、１フレームあるいは１フィールドで、Ｔｋ端子へのロジック信号を制御あるいは変化させる方式であった。しかし、本実施の形態に係る画像表示装置はこれに限定するものではない。たとえば、１Ｈ（１水平走査期間、１画素行選択期間）で、ｏｆｓ電圧の極性を反転させるものであってもよい。
【０１４２】
図２５は、Ｔ＝１水平走査期間とし、各Ｔ期間で、Ｔｋ端子へのロジック電圧を反転させている（図２５の（ａ））。Ｔｋ端子のロジック信号に基づき、オフセット電圧も反転する（図２５の（ｂ））。
【０１４３】
理解を容易にするため、映像信号は、一例として、画面の上から下方向に、輝度が高くなる「ランプ」波形としている。「ランプ」波形は、０（Ｖ）〜Ｓｉｇ（Ｖ）まで変化するものとする。なお、人間の視感度を考慮していない。また、オフセット電圧は、ｏｆｓ（＋）またはｏｆｓ（−）とする。また、Ｔｋ端子に印加されるロジック電圧が“Ｈ”であり、ｏｆｓ（＋）がオフセット電圧として映像信号に重畳されるとている。また、Ｔを１画素行の選択期間、Ｔｆを１フレーム（１画面を書き換える期間）として説明をする。
【０１４４】
図２５の（ｄ）に示すＯｕｔ端子からの出力波形（映像信号＋オフセット電圧）は、映像信号（図２５の（ｃ））に、オフセット電圧（図２５の（ｂ））を重畳した出力波形である。
【０１４５】
なお、図２５などは、説明を容易にするため、タイミングチャートは模式的に図示している。また、誇張して作図、表現している。
【０１４６】
Ｔｋ端子へ印加されるロジック電圧は、Ｔ期間で極性が反転するため、Ｔｋ端子へのロジック電圧に対応して、オフセット電圧ｏｆｓ（＋）とｏｆｓ（−）とが交互に出力される。したがって、図２５の（ｄ）に図示する出力波形となる。
【０１４７】
Ｔｋ端子のロジック信号が、図２５の（ａ）が、第１フレームとすれば、次の第２フレームでは、図２５の（ａ）のように、極性を反転させたロジック信号となる（図２６を参照のこと）。したがって、オフセット電圧は、図２５の（ｂ）のように、極性が反転（９０度位相シフト）したタイミングチャートとなる。同様に、映像信号へオフセット電圧が重畳された信号波形も、図２５の（ｄ）に示すように、オフセット電圧に対して９０度位相シフトした波形となる。以上の実施の形態を図２６に示している。
【０１４８】
任意のＯｕｔ出力から出力される信号波形は、Ｔ期間で、出力回路２１のＴｋ端子へ印加されるロジック信号の極性が反転し、オフセット電圧の極性も反転する。したがって、映像信号に重畳されるオフセット電圧は、オフセット電圧ｏｆｓ（＋）とｏｆｓ（−）とが交互に重畳される。そのため、２フィールド期間では、オフセット電圧ｏｆｓ（＋）とｏｆｓ（−）とは打ち消され、オフセット電圧が重畳されていない信号波形が得られる。
【０１４９】
たとえば、図２７が、第１フレームの信号波形であり、図２８が第１のフレームの次の第２フレームの信号波形である。
【０１５０】
なお、以上の実施の形態では、１Ｈ期間でＴｋ端子に印加されるロジック信号の極性を変化させ、出力されるｏｆｓ電圧の極性を変化させるものであった。しかし、本実施の形態に係る画像表示装置はこれに限定されるものではない。
【０１５１】
たとえば、２Ｈ期間で、Ｔｋ端子に印加するロジック信号の極性を変化させ、出力されるｏｆｓ電圧の極性を変化させるものであってもよい。オフセット電圧ｏｆｓ（＋）を＋、ｏｆｓ（−）を−と表現した場合、たとえば、１フレーム目において、１画素行目から、＋＋−−＋＋−−＋＋−−＋＋−−・・・・・・・と、ソース信号線に出力し、次の２フレーム目において、１画素行目から、−−＋＋−−＋＋−−＋＋−−＋＋・・・・・・・と、ソース信号線に出力する方式が例示される。以上の実施の形態を図２９に示す。
【０１５２】
また、１フレーム目において、１画素行目から、＋＋＋−−−＋＋＋−−−＋＋＋−−−＋＋＋−−−・・・・・・・と、ソース信号線に出力し、次の２フレーム目において、１画素行目から、−−−＋＋＋−−−＋＋＋−−−＋＋＋−−−＋＋＋・・・・・・・と、ソース信号線に出力する方式が例示される。以上は、２フレーム期間で実施する、本実施の形態にかかる画像表示装置の駆動方式である。
【０１５３】
なお、以上の事項は、本開示の他の実施の形態にも適用できることは言うまでもない。また、他の実施の形態と組み合わせることができることも言うまでもない。
【０１５４】
本実施の形態にかかる画像表示装置の駆動方法は、２フレーム（１フィールド）に限定するものではない。たとえば、１フレーム目において、１画素行目から、＋＋−−＋＋−−＋＋−−＋＋−−・・・・・・・と、ソース信号線に出力し、次の２フレーム目において、１画素行目から、−＋＋−−＋＋−−＋＋−−＋＋−・・・・・・・と、ソース信号線に出力し、次の３フレーム目において、１画素行目から、−−＋＋−−＋＋−−＋＋−−＋＋−・・・・・・・と、ソース信号線に出力し、次の４フレーム目において、１画素行目から、＋−−＋＋−−＋＋−−＋＋−−＋・・・・・・・と、ソース信号線に出力する方式が例示される。
【０１５５】
以上の事項は、本開示の他の実施の形態にも適用できることは言うまでもない。また、他の実施の形態と組み合わせることができることも言うまでもない。
【０１５６】
図３０は、立体（３Ｄ）表示の場合の説明図である。基本的には、映像信号に関しては、図２４などと同一であるが、映像信号が、左眼映像（左映像）、右眼映像（右映像）が繰り返される点が異なる。つまり、時間ｔ０〜ｔ１が左眼映像（左映像）、時間ｔ１〜ｔ２が右眼映像（右映像）、時間ｔ２〜ｔ３が左眼映像（左映像）、時間ｔ３〜ｔ４が右眼映像（右映像）、時間ｔ４〜ｔ５が左眼映像（左映像）、時間ｔ５〜ｔ６が右眼映像（右映像）とする。
【０１５７】
理解を容易にするため、右眼映像（右映像）信号および左眼映像（左映像）信号は、一例として、画面の上から下方向に、輝度が高くなる「ランプ」波形としている。「ランプ」波形は、０（Ｖ）〜Ｓｉｇ（Ｖ）まで変化するものとする。また、オフセット電圧は、ｏｆｓ（＋）、ｏｆｓ（−）する。また、Ｔｋ端子が“Ｈ”で、ｏｆｓ（＋）がオフセット電圧として映像信号に重畳されるとし、Ｔｋ端子が“Ｌ”で、ｏｆｓ（−）がオフセット電圧として映像信号に重畳されるとする。
【０１５８】
Ｔｋ端子へのロジック電圧は、Ｔ期間で反転するため、Ｔｋ端子へのロジック電圧に対応して、オフセット電圧ｏｆｓ（＋）とｏｆｓ（−）とが交互に出力される。したがって、図３０の（ｄ）に図示する出力波形となる。
【０１５９】
しかし、図３０の（ｄ）で図示するように、オフセット電圧ｏｆｓ（＋）が左眼映像（左映像）に重畳され、オフセット電圧ｏｆｓ（−）が右眼映像（右映像）に重畳される。したがって、オフセット電圧により、左眼映像（左映像）が明るく、右眼映像（右映像）が暗くなる。したがって、左眼と右眼の明るさの差が発生し、視認され、画質を低下させる。また、オフセット電圧の発生方向（ｏｆｓ（＋）、ｏｆｓ（−））の制御が困難である。
【０１６０】
特に、前述の現象は、ＥＬ表示装置のように、映像信号が片極性（＋極性）の表示パネルに顕著となる。液晶表示パネルのような映像信号が両極性の表示パネルには、発生しにくい。映像信号のグランド位置（中心位置）がずれるだけのため、共通電極（対向電極）の電位調整をすれば解消するからである。
【０１６１】
図３１は、本実施の形態にかかる画像表示装置に、３Ｄ（立体）表示を行う場合の駆動方式の実施の形態である。図３１の実施の形態では、Ｔｋ端子には、２Ｔ期間（左眼期間＋右眼期間）で、ロジック信号を切り替えている。
【０１６２】
図３１は、本実施の形態にかかる駆動方式の説明図である。オフセット電圧の切り替え周期は、２フレーム時間（２Ｔ：左眼映像（左映像）信号期間＋右眼映像（右映像）信号期間）であるとしている。図３１の（ｂ）は、オフセットキャンセル操作のための端子Ｔｋ端子に印加されるロジック信号により発生するオフセット電圧（ｏｆｓ（＋）、ｏｆｓ（−））である。
【０１６３】
なお、理解を容易にするため、オフセット電圧の大きさは誇張して図示している。通常、オフセット電圧は、５０ｍＶ以下であり、通常、２０ｍＶ程度である。なお、映像信号のＳｉｇ（最大電圧）は、４〜５（Ｖ）程度である。
【０１６４】
理解を容易にするため、映像信号は、一例として、画面の上から下方向に、輝度が高くなる「ランプ」波形としている。「ランプ」波形は、０（Ｖ）〜Ｓｉｇ（Ｖ）まで変化するものとする。また、オフセット電圧は、ｏｆｓ（＋）またはｏｆｓ（−）とする。また、Ｔｋ端子が“Ｈ”で、オフセット電圧ｏｆｓ（＋）が映像信号に重畳されるとし、Ｔｋ端子が“Ｌ”で、オフセット電圧ｏｆｓ（−）が映像信号に重畳されるとする。
【０１６５】
図３１の（ｄ）の出力波形は、映像信号に、図３１の（ｂ）のオフセット電圧を重畳した出力波形である。Ｔｋ端子へのロジック電圧は、２Ｔ期間で反転するため、Ｔｋ端子へのロジック電圧に対応して、オフセット電圧ｏｆｓ（＋）とｏｆｓ（−）とが交互に出力される。したがって、図３１の（ｄ）に図示する出力波形となる。
【０１６６】
図３１の（ｄ）に示す実施の形態では、２Ｔ期間でオフセット電圧を制御しているため、左眼映像（左映像）と右眼映像（右映像）の組の映像信号レベルが一致している。したがって、オフセット電圧が発生しても、左眼映像（左映像）を右眼映像（右映像）のレベルが略同一になる。したがって、左眼と右眼の明るさの差が発生することがなく、画質を低下させることもない。また、オフセット電圧の発生方向（ｏｆｓ（＋）、ｏｆｓ（−））の制御が困難であっても、３Ｄ表示に影響を与えない。特に、本実施の形態にかかる駆動方式は、ＥＬ表示装置のように、映像信号が片極性（＋極性）の表示パネル有効となる。
【０１６７】
図３２は、本実施の形態に係る表示装置の電気的な構成を示したブロック図である。
【０１６８】
図３２に示したように、本実施の形態に係る表示装置は、画素１６がマトリックス状に配置されて構成された表示画面５２２と、表示画面５２２の画素行ごとに配置されたゲート信号線１７（ゲート信号線１７ａ、ゲート信号線１７ｂ、ゲート信号線１７ｃ、ゲート信号線１７ｄ）と、表示画面５２２の画素列ごとに配置されたソース信号線１８と、表示画面５２２の周辺回路として、ゲート信号線１７（１７ａ、１７ｂ、１７ｃ、１７ｄ）を駆動するゲートドライバ回路（ＩＣ）１２（１２ａ、１２ｂ）と、映像信号をソース信号線１８に出力するソースドライバ回路（ＩＣ）１４と、ゲートドライバ回路及びソースドライバ回路などを制御する制御回路（図示せず）とを具備する。
【０１６９】
表示画面５２２は、外部から表示装置へ入力された映像信号に基づいて画像を表示する。なお、映像信号は、映像信号電圧でも、映像信号電流のいずれでもよい。
【０１７０】
ゲート信号線１７（１７ａ、１７ｂ、１７ｃ、１７ｄ）は、ゲートドライバ回路（ＩＣ）１２に接続され、各画素行に属する画素１６に接続されている。ゲート信号線１７は、各画素行に属する画素１６に信号電圧を書き込むタイミングを制御する機能や、画素１６に初期化電圧や参照電圧などの各種電圧を印加するタイミングを制御する機能などを有する。
【０１７１】
ゲートドライバ回路（ＩＣ）１２は、ゲート信号線１７（１７ａ、１７ｂ、１７ｃ、１７ｄ）に接続されており、ゲート信号線１７に選択信号を出力することにより、画素１６の有するスイッチ用トランジスタ１１の導通（オン）・非導通（オフ）を制御する機能を有する駆動回路である。例えば、後述する図３３の画素回路において、ゲート信号線１７ａにオン電圧が印加されると、第２のスイッチ用トランジスタ１１ｂがオンして、ソース信号線１８に印加された映像信号が、画素１６に印加される。また、ゲートドライバ回路（ＩＣ）１２は、複数の走査・出力バッファ回路３３１を備えている。
【０１７２】
ゲートドライバ回路（ＩＣ）１２は、表示画面５２２の左右に配置されており（ゲートドライバ回路（ＩＣ）１２ａおよび１２ｂ）、各ゲート信号線１７は、ゲートドライバ回路（ＩＣ）１２ａまたはゲートドライバ回路（ＩＣ）１２ｂの少なくとも一方と接続されている。
【０１７３】
図３２に示した実施の態様では、ゲート信号線１７ａ及びゲート信号線１７ｂの両端には、表示画面５２２の左右に配置されたゲートドライバ回路（ＩＣ）１２ａおよび１２ｂが接続されている。ゲート信号線１７ｃおよび１７ｄの片側には、表示画面５２２の左側に配置されたゲートドライバ回路（ＩＣ）１２ａが接続されている。ゲートドライバ回路（ＩＣ）１２は、ＣＯＦ５２１（Ｃｈｉｐ  Ｏｎ  Ｆｉｌｍ）に実装されている。特に、ゲート信号線１７ａ（ゲート信号線ＧＳ）は、両方のゲートドライバ回路（ＩＣ）１２に接続されているのがよい。
【０１７４】
ソース信号線１８は、表示画面５２２の画素列ごと、すなわち、画素列数分が設けられており、ソースドライバ回路（ＩＣ）１４に接続され、各画素列に属する画素１６に接続されている。
【０１７５】
ソースドライバ回路（ＩＣ）１４は、ソース信号線１８の一端あるいは両端に接続されており、映像信号を出力して、ソース信号線１８を介して画素１６に、前記映像信号を供給あるいは印加する機能を有する駆動回路である。ソースドライバ回路（ＩＣ）１４は、ＣＯＦ５２１（Ｃｈｉｐ  Ｏｎ  Ｆｉｌｍ）に実装されている。なお、ソースドライバ回路（ＩＣ）１４は、各端子あるいはブロックごとに映像信号の出力タイミングを設定できるマルチディレイ機能を有していてもよい。
【０１７６】
なお、ＣＯＦ５２１においては、ＣＯＦ５２１の表面に光吸収塗料、材料を塗布あるいは形成し、また、シートを貼り付けて、光を吸収するように構成することができる。また、ＣＯＦ５２１に実装されたゲートドライバ回路（ＩＣ）１２およびソースドライバ回路（ＩＣ）１４の表面に放熱板を配置または形成し、ゲートドライバ回路（ＩＣ）１２およびソースドライバ回路（ＩＣ）１４からの放熱を行うこともできる。また、ＣＯＦ５２１の裏面に放熱シート、放熱板を配置または形成し、ドライバ回路が発生する熱を放熱することもできる。
【０１７７】
図示を省略した制御回路は、ゲートドライバ回路（ＩＣ）１２およびソースドライバ回路（ＩＣ）１４の制御を行う機能を有する制御回路である。制御回路は、各発光素子１５の補正データなどが記憶されたメモリ（図示せず）を備え、メモリに書き込まれた補正データ等を読み出し、外部から入力された映像信号を、前記補正データに基づいて補正して、ソースドライバ回路（ＩＣ）１４へと出力するように構成する。
【０１７８】
図３２に示した表示装置では、オン電圧（Ｖｏｎ）が複数種類必要となる場合があり、オフ電圧（Ｖｏｆｆ）も複数電圧が必要となる場合がある。図３３の本実施の形態にかかる画像表示装置の表示パネル２０は、第１のスイッチ用トランジスタ１１ｄと第２のスイッチ用トランジスタ１１ｂのオン電圧は異ならせている。本実施の形態にかかる画像表示装置の表示パネル２０は、画素１６の構成に応じて、イニシャル電圧（Ｖｉｎｉ）、リファレンス電圧（Ｖｒｅｆ）などが必要である。
【０１７９】
図３３は、本実施の形態に係る表示装置における画素回路の例を示した図である。図３３に示した画素１６は、発光素子１５と、発光素子１５に駆動電流を供給するための駆動用トランジスタ１１ａと、第１のスイッチ用トランジスタ１１ｄと、第２のスイッチ用トランジスタ１１ｂと、第３のスイッチ用トランジスタ１１ｃと、第４のスイッチ用トランジスタ１１ｅと、コンデンサ１９（Ｃｓ）とを備える。
【０１８０】
駆動用トランジスタ１１ａは、ドレイン端子が第１のスイッチ用トランジスタ１１ｄを介して第１電源線であるアノード電圧Ｖｄｄに電気的に接続され、ソース端子が発光素子１５のアノード端子に電気的に接続された駆動素子である。駆動用トランジスタ１１ａは、ゲート端子−ソース端子間に印加された信号電圧に対応した電圧を、当該信号電圧に対応したドレイン電流に変換する。そして、このドレイン電流を信号電流として発光素子１５に供給する。駆動用トランジスタ１１ａは、例えば、ｎ型の薄膜トランジスタ（ｎ型ＴＦＴ）で構成される。
【０１８１】
発光素子１５は、アノード端子が駆動用トランジスタ１１ａのソース端子に電気的に接続され、カソード端子が第２電源線であるカソード電圧Ｖｓｓに電気的に接続された発光素子であり、駆動用トランジスタ１１ａにより信号電流が流れることにより、信号電流の大きさに基づいて発光する。信号電流の大きさは、ソース信号線１８に印加された映像信号を、第２のスイッチ用トランジスタ１１ｂで画素１６に印加することにより決定する。発光素子１５としては、例えば、ＥＬ素子が用いられる。
【０１８２】
第１のスイッチ用トランジスタ１１ｄは、ゲート端子がゲート信号線１７ｂ（ゲート信号線ＧＥ）に電気的に接続され、ソース端子が駆動用トランジスタ１１ａのドレイン端子に電気的に接続され、ドレイン端子が第１電源線であるアノード電圧Ｖｄｄに電気的に接続されたスイッチ用トランジスタである。ゲート信号線１７ｂ（ゲート信号線ＧＥ）にオン電圧が印加されると、第１のスイッチ用トランジスタ１１ｄがオンし、駆動用トランジスタ１１ａからの発光電流が発光素子１５に供給される。なお、第１のスイッチ用トランジスタ１１ｄは、駆動用トランジスタ１１ａのソース端子と発光素子１５のアノード端子間に配置または形成してもよい。
【０１８３】
第２のスイッチ用トランジスタ１１ｂは、ゲート端子がゲート信号線１７ａ（ゲート信号線ＧＳ）に電気的に接続され、ソース端子が駆動用トランジスタ１１ａのゲート端子と電気的に接続され、ドレイン端子がソース信号線１８と電気的に接続されたスイッチ用トランジスタである。
【０１８４】
第３のスイッチ用トランジスタ１１ｃは、ゲート端子がゲート信号線１７ｄ（ゲート信号線ＧＩ）に電気的に接続され、ソース端子が駆動用トランジスタ１１ａのソース端子と電気的に接続され、ドレイン端子にはイニシャル電圧（初期化電圧、Ｖｉｎｉ）が印加あるいは供給されるスイッチ用トランジスタである。第３のスイッチ用トランジスタ１１ｃは、イニシャル電圧（Ｖｉｎｉ）を駆動用トランジスタ１１ａのソース端子及びコンデンサ１９の一方電極に印加するタイミングを決定する機能を有する。
【０１８５】
第４のスイッチ用トランジスタ１１ｅは、ゲート端子がゲート信号線１７ｃ（ゲート信号線ＧＲ）に電気的に接続され、ソース端子が駆動用トランジスタ１１ａのゲート端子と電気的に接続され、ドレイン端子にはリファレンス電圧（参照電圧、Ｖｒｅｆ）が印加あるいは供給されるスイッチ用トランジスタである。第４のスイッチ用トランジスタ１１ｅは、リファレンス電圧（Ｖｒｅｆ）を駆動用トランジスタ１１ａのゲート端子に印加するタイミングを決定する機能を有する。
【０１８６】
なお、以下において、駆動用トランジスタ１１ａと、第１のスイッチ用トランジスタ１１ｄと、第２のスイッチ用トランジスタ１１ｂと、第３のスイッチ用トランジスタ１１ｃと、第４のスイッチ用トランジスタ１１とをまとめてトランジスタ１１と呼ぶこともある。また、ゲート信号線１７ａ、１７ｂ、１７ｃおよび１７ｄをまとめてゲート信号線１７と呼ぶこともある。
【０１８７】
ここで、電気的に接続とは、電圧の経路、電流の経路が形成されている状態あるいは形成されうる状態である。たとえば、駆動用トランジスタ１１ａと第１のスイッチ用トランジスタ１１ｄとの間に、第５のトランジスタが配置されていても、駆動用トランジスタ１１ａと第１のスイッチ用トランジスタ１１ｄとは電気的に接続されている。なお、本開示においては、接続を電気的に接続の意味として使用する場合がある。
【０１８８】
トランジスタ１１（１１ａ、１１ｂ、１１ｃ、１１ｄ、１１ｅ）のチャンネル間は双方向であるため、ソース端子とドレイン端子の名称は、説明を容易にするためであり、ソース端子とドレイン端子は入れ替えてもよい。また、ソース端子、ドレイン端子を、第１の端子、第２の端子などとしてもよい。
【０１８９】
また、駆動用トランジスタ１１ａおよびスイッチ用トランジスタ（１１ｂ、１１ｃ、１１ｄ、１１ｅ）を含むトランジスタ１１は、薄膜トランジスタ（ＴＦＴ）として説明しているが、これに限定するものではない。薄膜ダイオード（ＴＦＤ）、リングダイオードなどでも構成することができる。
【０１９０】
トランジスタ１１（１１ａ、１１ｂ、１１ｃ、１１ｄ、１１ｅ）は、もちろん、ＦＥＴ、ＭＯＳ−ＦＥＴ、ＭＯＳトランジスタ、バイポーラトランジスタでもよい。これらも基本的に薄膜トランジスタである。その他、バリスタ、サイリスタ、リングダイオード、ホトダオード、ホトトランジスタ、ＰＬＺＴ素子などでもよいことは言うまでもない。
【０１９１】
また、薄膜素子に限定するものではなく、シリコンウエハに形成したトランジスタでもよい。たとえば、シリコンウエハでトランジスタを構成し、剥がしてガラス基板に転写したものが例示される。また、シリコンウエハでトランジスタチップを形成し、ガラス基板のボンディング実装した表示パネルが例示される。
【０１９２】
なお、トランジスタ１１（１１ａ、１１ｂ、１１ｃ、１１ｄ、１１ｅ）は、ｎ型、ｐ型のトランジスタとも、ＬＤＤ（Ｌｉｇｈｔｌｙ  Ｄｏｐｅｄ  Ｄｒａｉｎ）構造を採用することが好ましい。
【０１９３】
また、トランジスタ１１（１１ａ、１１ｂ、１１ｃ、１１ｄ、１１ｅ）は、高温ポリシリコン（ＨＴＰＳ：Ｈｉｇｈ−ｔｅｍｐｅｒａｔｕｒｅ  ｐｏｌｙｃｒｙｓｔａｌｌｉｎｅ  ｓｉｌｉｃｏｎ）、低温ポリシリコン（ＬＴＰＳ：Ｌｏｗ−ｔｅｍｐｅｒａｔｕｒｅ  ｐｏｌｙ  ｓｉｌｉｃｏｎ）、連続粒界シリコン（ＣＧＳ：Ｃｏｎｔｉｎｕｏｕｓ  ｇｒａｉｎ  ｓｉｌｉｃｏｎ）、透明アモルファス酸化物半導体（ＴＡＯＳ：Ｔｒａｎｓｐａｒｅｎｔ  Ａｍｏｒｐｈｏｕｓ  Ｏｘｉｄｅ  Ｓｅｍｉｃｏｎｄｕｃｔｏｒｓ、ＩＺＯ）、アモルファスシリコン（ＡＳ：ａｍｏｒｐｈｏｕｓ  ｓｉｌｉｃｏｎ）、赤外線ＲＴＡ（ＲＴＡ：ｒａｐｉｄ  ｔｈｅｒｍａｌ  ａｎｎｅａｌｉｎｇ）で形成したもののうち、いずれでもよい。
【０１９４】
図３３では、画素を構成するすべてのトランジスタ１１（１１ａ、１１ｂ、１１ｃ、１１ｄ、１１ｅ）はｎ型で構成している。しかし、本実施の形態においては、画素１６のトランジスタ１１（１１ａ、１１ｂ、１１ｃ、１１ｄ、１１ｅ）をｎ型で構成することのみに限定するものではない。ｎ型のみで構成してもよいし、ｐ型のみで構成してもよい。また、ｎ型とｐ型の両方を用いて構成してもよい。また、駆動用トランジスタ１１ａをｐ型のトランジスタとｎ型のトランジスタの両方を用いて構成してもよい。
【０１９５】
スイッチ用トランジスタ１１（１１ｂ、１１ｃ、１１ｄ、１１ｅ）は、トランジスタに限定するものではなく、たとえば、ｐ型のトランジスタとｎ型のトランジスタの両方を用いて構成したアナログスイッチであってもよい。
【０１９６】
トランジスタ１１（１１ａ、１１ｂ、１１ｃ、１１ｄ、１１ｅ）はトップゲート構造にすることが好ましい。トップゲート構造にすることにより寄生容量が低減し、トップゲートのゲート電極パターンが、遮光層となり、発光素子１５から出射された光を遮光層で遮断し、トランジスタの誤動作、オフリーク電流を低減できるからである。
【０１９７】
ゲート信号線１７（１７ａ、１７ｂ、１７ｃ、１７ｄ）またはソース信号線１８、もしくはゲート信号線１７（１７ａ、１７ｂ、１７ｃ、１７ｄ）とソース信号線１８の両方の配線材料として、銅配線または銅合金配線を採用できるプロセスを実施することが好ましい。信号線の配線抵抗を低減でき、より大型のＥＬ表示パネルを実現できるからである。
【０１９８】
ゲートドライバ回路（ＩＣ）１２が駆動（制御）するゲート信号線１７（１７ａ、１７ｂ、１７ｃ、１７ｄ）は、低インピーダンス化すること好ましい。したがって、ゲート信号線１７（１７ａ、１７ｂ、１７ｃ、１７ｄ）の構成あるいは構造に関しても同様である。
【０１９９】
特に、低温ポリシリコン（ＬＴＰＳ：Ｌｏｗ−ｔｅｍｐｅｒａｔｕｒｅ  ｐｏｌｙ  ｓｉｌｉｃｏｎ）を採用することが好ましい。低温ポリシリコンは、トランジスタはトップゲート構造であり寄生容量が小さく、ｎ型およびｐ型のトランジスタを作製でき、また、プロセスに銅配線または銅合金配線プロセスを用いることができる。なお、銅配線は、Ｔｉ−Ｃｕ−Ｔｉの３層構造を採用することが好ましい。
【０２００】
ゲート信号線１７（１７ａ、１７ｂ、１７ｃ、１７ｄ）またはソース信号線１８などの配線は、トランジスタ１１（１１ａ、１１ｂ、１１ｃ、１１ｄ、１１ｅ）が透明アモルファス酸化物半導体（ＴＡＯＳ：Ｔｒａｎｓｐａｒｅｎｔ  Ａｍｏｒｐｈｏｕｓ  Ｏｘｉｄｅ  Ｓｅｍｉｃｏｎｄｕｃｔｏｒｓ）の場合には、Ｍｏ（モリブデン）−Ｃｕ−Ｍｏの３層構造を採用することが好ましい。
【０２０１】
図３３に示した画素１６において、コンデンサ１９は、第１電極が駆動用トランジスタ１１ａのゲート端子に電気的に接続され、第２電極が駆動用トランジスタ１１ａのソース端子に電気的に接続されたコンデンサである。
【０２０２】
コンデンサ１９は、まず、定常状態において駆動用トランジスタ１１ａのゲート−ソース電極間電位（ソース信号線１８の電位）を、第２のスイッチ用トランジスタ１１ｂが導通している状態で記憶する。その後、第２のスイッチ用トランジスタ１１ｂがオフ状態となっても、コンデンサ１９の電位が確定されるので駆動用トランジスタ１１ａのゲート電圧が確定される。
【０２０３】
なお、コンデンサ１９は、ソース信号線１８、ゲート信号線１７（１７ａ、１７ｂ、１７ｃ、１７ｄ）にオーバーラップするように（重なるように）形成または配置する。この場合、レイアウトの自由度が向上し、素子間のスペースをより広く確保することが可能になり、歩留まりが向上する。
【０２０４】
図３３に示した画素１６における発光素子１５については、ソース信号線１８およびゲート信号線１７（１７ａ、１７ｂ、１７ｃ、１７ｄ）上に、発光素子１５のアノード電極あるいはカソード電極を配置または形成することにより、ソース信号線１８およびゲート信号線１７（１７ａ、１７ｂ、１７ｃ、１７ｄ）からの電界が、アノード電極あるいはカソード電極で遮蔽される。遮蔽により、画像表示へのノイズを低減させることができる。
【０２０５】
ソース信号線１８およびゲート信号線１７（１７ａ、１７ｂ、１７ｃ、１７ｄ）に絶縁膜あるいはアクリル材料からなる絶縁膜（平坦化膜）を形成して絶縁し、絶縁膜上に画素電極を形成する。
【０２０６】
このように、ゲート信号線１７（１７ａ、１７ｂ、１７ｃ、１７ｄ）等上の少なくとも一部に画素電極を重ねる構成をハイアパーチャ（ＨＡ）構造と呼ぶ。不要な干渉光などが低減し、良好な発光状態を実現できる。
【０２０７】
画素１６の画素電極は、ＩＴＯ、ＩＧＺＯ（インジウム（Ｉｎｄｉｕｍ）、ガリウム（Ｇａｌｌｉｕｍ）、亜鉛（Ｚｉｎｃ）、酸素（Ｏｘｙｇｅｎ））、ＩＺＯ、透明アモルファス酸化物半導体（ＴＡＯＳ）などからなる透明電極を用いることができる。
【０２０８】
図３２の画像表示装置において、図３３の画素１６を採用した場合には、アノード電圧Ｖｄｄ、カソード電圧Ｖｓｓ、参照電圧（Ｖｒｅｆ）及び初期化電圧（Ｖｉｎｉ）は、それぞれ、全画素１６に共通接続されており、電圧発生回路（図示せず）に接続されている。また、駆動用トランジスタ１１ａの閾値電圧に発光素子１５の発光開始電圧を加えた電圧が０Ｖよりも大きい場合は、Ｖｉｎｉはカソード電圧Ｖｓｓと略同一電圧としてもよい。これにより電圧発生回路（図示せず）の出力電圧の種類が減り、回路がより簡易になる。
【０２０９】
図３３に示す画素１６では、アノード電圧Ｖｄｄ＞リファレンス電圧Ｖｒｅｆ＞カソード電圧Ｖｓｓ＞イニシャル電圧Ｖｉｎｉ、なる関係にすることが好ましい。具体的には、一例として、アノード電圧Ｖｄｄ＝１０〜１８（Ｖ）、リファレンス電圧Ｖｒｅｆ＝１．５〜３（Ｖ）、カソード電圧Ｖｓｓ＝０．５〜２．５（Ｖ）、イニシャル電圧Ｖｉｎｉ＝０〜−３（Ｖ）である。なお、後述する図３４に示す画素１６についても同様である。
【０２１０】
図３３に示す画素１６においては、図３２に示したように、ゲート信号線１７ａ及びゲート信号線１７ｂが、２つのゲートドライバ回路（ＩＣ）１２ａおよび１２ｂに接続されているのがよい。これは、以下の理由による。
【０２１１】
ゲート信号線１７ａは、第２のスイッチ用トランジスタ１１ｂに接続されている。第２のスイッチ用トランジスタ１１ｂは、映像信号を画素１６に書き込むトランジスタであり、第２のトランジスタ１１ｂを高速のオンオフ（高スルーレート動作）をさせる必要があるからである。ゲート信号線１７ａは、２つのゲートドライバ回路（ＩＣ）１２ａおよび１２ｂで駆動することにより、高スルーレート動作を実現できる。なお、一例として、ゲートドライバ回路（ＩＣ）１２ａは、表示画面５２２の左側に配置され、ゲートドライバ回路（ＩＣ）１２ｂは、表示画面５２２の右側に配置される。
【０２１２】
ゲート信号線１７ｂは、第１のスイッチ用トランジスタ１１ｄに接続されている。第１のスイッチ用トランジスタ１１ｄは、駆動用トランジスタ１１ａのオフセットキャンセル動作を実施するトランジスタであり、第１のスイッチ用トランジスタ１１ｄを高速のオンオフ（高スルーレート動作）をさせる必要があるからである。ゲート信号線１７ａおよび１７ｂは、２つのゲートドライバ回路（ＩＣ）１２ａおよび１２ｂで駆動することにより、高スルーレート動作を実現できる。
【０２１３】
ゲート信号線１７（１７ａ、１７ｂ、１７ｃ、１７ｄ）を２つのゲートドライバ回路（ＩＣ）１２ａおよび１２ｂで駆動することにより、表示画面５２２の左右、中央での輝度傾斜などがなくなり、良好な画像表示を実現できる。また、ゲート信号線１７（１７ａ、１７ｂ、１７ｃ、１７ｄ）の負荷容量が大きくても、良好にドライブすることができる。
【０２１４】
ゲート信号線１７ｃおよび１７ｄは、１つのゲートドライバ回路（ＩＣ）１２ａが接続されている。ゲート信号線１７ｃには、第４のスイッチ用トランジスタ１１ｅが接続されている。第４のスイッチ用トランジスタ１１ｅは、リファレンス電圧Ｖｒｅｆを駆動用トランジスタ１１ａに印加する機能を有する。リファレンス電圧Ｖｒｅｆを印加するためのトランジスタをオンオフする動作は、低スルーレートで十分である。ゲート信号線１７ｄには、第３のスイッチ用トランジスタ１１ｃが接続されている。第３のスイッチ用トランジスタ１１ｃは、イニシャル電圧Ｖｉｎｉを駆動用トランジスタ１１ａのソース端子に印加する機能を有する。イニシャル電圧Ｖｉｎｉを印加するためのトランジスタをオンオフする動作は、低スルーレートで十分である。
【０２１５】
したがって、ゲート信号線１７ｃおよび１７ｄは、１つのゲートドライバ回路（ＩＣ）１２ａで駆動しても、実用上、十分な性能を得ることができる。
【０２１６】
次に、図３４〜図３８などを用いて、図３３の画素回路の動作を説明する。
【０２１７】
（非発光期間）
図３３に示す画素１６において、第１のスイッチ用トランジスタ１１ｄがオン状態のとき、発光素子１５にアノード電圧Ｖｄｄから電流が供給され、発光素子１５が発光状態にある（発光期間）。アノード電圧Ｖｄｄから駆動用トランジスタ１１ａを通して発光素子１５に駆動電流（ドレイン・ソース間電流）Ｉｄが供給されるため、発光素子１５が駆動電流Ｉｄに応じた輝度で発光する。
【０２１８】
一方、図３４に図示するように、第１のスイッチ用トランジスタ１１ｄをオフ状態にすることにより、発光素子１５に流れる電流が遮断され、発光素子１５の発光が停止する（非発光期間）。なお、画素１６の動作のタイミングチャートの一例を、後に詳述する図４１に示す。なお、図４１において、第２のスイッチ用トランジスタ１１ｂが接続されたゲート信号線１７ａをＧＳと記載し、第１のスイッチ用トランジスタ１１ｄが接続されたゲート信号線１７ｂをＧＥと記載し、第４のスイッチ用トランジスタ１１ｅが接続されたゲート信号線１７ｃをＧＲと記載し、第３のスイッチ用トランジスタ１１ｃが接続されたゲート信号線１７ｄをＧＩと記載している。
【０２１９】
（オフセットキャンセル補正準備期間）
図３５は、オフセットキャンセル補正の準備期間における画素１６の動作状態を示す。オフセットキャンセル補正の準備期間では、第４のスイッチ用トランジスタ１１ｅがオンし、リファレンス電圧Ｖｒｅｆが駆動用トランジスタ１１ａのゲート端子に印加され、第３のスイッチ用トランジスタ１１ｃがオンし、イニシャル電圧Ｖｉｎｉが発光素子１５のアノード端子に印加される（図４１における時刻ｔ３）。駆動用トランジスタ１１ａのゲート電位Ｖｇがリファレンス電圧Ｖｒｅｆになる。また、駆動用トランジスタ１１ａのソース電位Ｖｓは、リファレンス電圧Ｖｒｅｆよりも十分に低いイニシャル電圧Ｖｉｎｉにある。
【０２２０】
ここで、イニシャル電圧Ｖｉｎｉについては、駆動用トランジスタ１１ａのゲート−ソース間電圧Ｖｇｓが、当該駆動用トランジスタ１１ａのオフセットキャンセル電圧Ｖｔｈよりも大きくなるように設定しておくこととする。このように、駆動用トランジスタ１１ａのゲート電位Ｖｇをリファレンス電圧Ｖｒｅｆ、ソース電位Ｖｓを低電位Ｖｉｎｉにそれぞれ初期化することで、オフセットキャンセル補正動作の準備が完了する。
【０２２１】
（オフセットキャンセル補正期間）
次に、図３５に示すように、図４１における時刻ｔ５で、ゲート信号線１７ｂ（ＧＥ）に選択電圧（オン電圧）が印加され、第１のスイッチ用トランジスタ１１ｄがオンすると、駆動用トランジスタ１１ａのドレイン端子にアノード電圧Ｖｄｄが印加される。また、第３のスイッチ用トランジスタ１１ｃをオフ状態にする。すると、駆動用トランジスタ１１ａのソース電位Ｖｓが上昇を開始する。やがて、駆動用トランジスタ１１ａのゲート−ソース間電圧Ｖｇｓが当該駆動用トランジスタ１１ａのオフセットキャンセル電圧Ｖｔｈになり、当該オフセットキャンセル電圧Ｖｔｈに相当する電圧がコンデンサ１９に書き込まれる。
【０２２２】
ここでは、便宜上、オフセットキャンセル電圧Ｖｔｈに相当する電圧をコンデンサ１９に書き込む期間をオフセットキャンセル補正期間と呼んでいる。
【０２２３】
なお、このオフセットキャンセル補正期間において、電流が専らコンデンサ１９側に流れ、発光素子１５側には流れないようにするために、発光素子１５がカットオフ状態となるようにカソード電極のカソード電圧Ｖｓｓを設定しておく。したがって、Ｖｓｓ＞Ｖｉｎｉとしておく。たとえば、Ｖｓｓ＝＋２（Ｖ）であれば、Ｖｉｎｉ＝−２（Ｖ）が例示される。
【０２２４】
次に、図３６に図示するように、図４１における時刻ｔ７で、第１のスイッチ用トランジスタ１１ｄ、第４のスイッチ用トランジスタ１１ｅをオフ状態にする。このとき、駆動用トランジスタ１１ａのゲートがフローティング状態になるが、ゲート−ソース間電圧Ｖｇｓが駆動用トランジスタ１１ａのオフセットキャンセル電圧Ｖｔｈに等しいために、当該駆動用トランジスタ１１ａはカットオフ状態にある。したがって、ドレイン−ソース間電流Ｉｄは流れない。
【０２２５】
（書き込み期間）
次に、図３６に示すように、図４１における時刻ｔ８で、ソース信号線１８にソースドライバ回路（ＩＣ）１４から映像信号電圧Ｖｓｉｇが印加される。ゲート信号線１７ａに選択電圧が印加されることにより、第２のスイッチ用トランジスタ１１ｂが導通状態になって映像信号電圧Ｖｓｉｇが、画素１６の駆動用トランジスタ１１ａのゲート端子に印加される。本実施の形態において、発光素子１５はＥＬ素子であり、また、このとき、発光素子１５はカットオフ状態（ハイインピーダンス状態）にあるために、コンデンサ（Ｃｅｌと呼ぶ）とみなすことができる。したがって、駆動用トランジスタ１１ａのゲート端子に印加された映像信号電圧Ｖｓｉｇは、コンデンサ１９の容量Ｃｓと発光素子の容量Ｃｅｌで分圧されて、駆動用トランジスタ１１ａのゲート−ソース端子間に印加される。コンデンサ１９の容量Ｃｓに比較して発光素子の容量Ｃｅｌは、小さいため、映像信号電圧Ｖｓｉｇの多くが、駆動用トランジスタ１１ａのゲート−ソース端子間に印加される。
【０２２６】
なお、本実施の形態において、発光素子１５を容量Ｃｅｌとして利用するとしたが、これに限定するものではない。発光素子１５に並列に、別途コンデンサを形成してもよいことは言うまでもない。
【０２２７】
（発光期間）
次に、図３７に示すように、図４１における時刻ｔｉで、第１のスイッチ用トランジスタ１１ｄがオンすることにより、駆動用トランジスタ１１ａのドレイン端子にアノード電圧Ｖｄｄが印加される。アノード電圧Ｖｄｄの印加により、電流Ｉｄが流れ始める。電流Ｉｄに比例して、発光素子１５が発光する。その後、図３８に示すように、第２のスイッチ用トランジスタ１１ｂがオフにされる。
【０２２８】
以上のようにして、各画素１６における駆動用トランジスタ１１ａに対してオフセットキャンセル補正が実施され、各画素が点灯、非点灯制御される。
【０２２９】
図３９は、本実施の形態に係る表示装置におけるゲートドライバ回路（ＩＣ）１２の構成の例を示した図である。図３９において、３３１は、走査・出力バッファ回路であり、３３２はゲートドライバ回路（ＩＣ）１２の出力端子である。３３３はゲートドライバ回路（ＩＣ）１２の入力端子、３３４はゲートドライバ回路（ＩＣ）１２の接続端子である。接続端子３３４に、各ゲート信号線１７がＡＣＦ樹脂で接続される。
【０２３０】
走査・出力バッファ回路３３１は、選択するゲート信号線位置（画素行位置）を特定するシフトレジスタと、ゲート信号線１７（１７ａ、１７ｂ、１７ｃ、１７ｄ）を駆動する出力バッファ回路とからなる。
【０２３１】
ゲート信号線位置（画素行位置）を特定するとは、ゲート信号線１７（１７ａ、１７ｂ、１７ｃ、１７ｄ）にオン電圧（選択電圧）とオフ電圧（非選択電圧）とを印加する位置を特定あるいは決定すること、あるいは、ゲート信号線１７（１７ａ、１７ｂ、１７ｃ、１７ｄ）にオン電圧（選択電圧）とオフ電圧（非選択電圧）とを印加した状態である。
【０２３２】
ゲートドライバ回路（ＩＣ）１２は、ＣＯＦ３３６に実装されている。ゲートドライバ回路（ＩＣ）１２は、４つの走査・出力バッファ回路３３１（３３１ａ、３３１ｂ、３３１ｃ、３３１ｄ）を有している。４つの走査・出力バッファ回路３３１は、それぞれ対応する４つのゲート信号線１７（１７ａ、１７ｂ、１７ｃ、１７ｄ）を駆動する。走査・出力バッファ回路３３１ａは、ゲート信号線ＧＲを駆動し、走査・出力バッファ回路３３１ｂは、ゲート信号線ＧＩを駆動する。走査・出力バッファ回路３３１ｃは、ゲート信号線ＧＥを駆動し、走査・出力バッファ回路３３１ｄは、ゲート信号線ＧＳを駆動する。
【０２３３】
走査・出力バッファ回路３３１ｄは、クロック入力端子ＣＬＫ２に接続されており、また、データ入力を行うデータ入力端子ＤＧＳに接続されている。なお、走査・出力バッファ回路３３１の出力をアクティブ、非アクティブに切り替えるイネーブル端子など説明に不要な事項は省略している。
【０２３４】
走査・出力バッファ回路３３１ａ、３３１ｂ、３３１ｃは、クロック入力端子ＣＬＫ１に接続されている。走査・出力バッファ回路３３１ａは、データ入力を行うデータ入力端子ＤＧＲに接続されている。走査・出力バッファ回路３３１ｂは、データ入力を行うデータ入力端子ＤＧＩに接続されている。走査・出力バッファ回路３３１ｃは、データ入力を行うデータ入力端子ＤＧＥに接続されている。
【０２３５】
以上の事項から、走査・出力バッファ回路３３１ａ、３３１ｂ、３３１ｃは同一のクロックで、動作する。また、走査・出力バッファ回路３３１ａ、３３１ｂ、３３１ｃ、３３１ｄは、それぞれ異なる入力データを入力することができる。
【０２３６】
なお、ゲートドライバ回路（ＩＣ）１２内の４つの走査・出力バッファ回路３３１は、入力端子３３３に、それぞれ独立である。したがって、各走査・出力バッファ回路３３１は、それぞれ異なるクロックで動作させることもできるし、共通のデータを入力することもできる。
【０２３７】
図４０は、第１の実施の形態における画像表示装置の駆動方法の説明図である。また、図４１〜図４６は、本実施の形態における画像表示装置の駆動方法のタイミングチャートである。
【０２３８】
図４０において、一点鎖線で示すオフセットキャンセル動作に伴い、表示画面５２２は非表示となる。オフセットキャンセル動作は、ゲート信号線ＧＥ、ＧＩ、ＧＲで実施する。しかし、表示画面５２２を非表示状態とする場合には、少なくともゲート信号線１７ｂ（ＧＥ）にオフ電圧を印加し、第１のスイッチ用トランジスタ１１ｄをオフ状態とすればよい。
【０２３９】
また、ゲート信号線ＧＲ、ＧＩにより、Ｖｒｅｆ、Ｖｉｎｉ電圧の印加によっても、表示画面５２２の各画素行３５１は、非表示となる。したがって、一点鎖線のオフセットキャンセル動作は、ゲート信号線ＧＩまたはＧＲのうち少なくも一方の動作（オン電圧などの印加）と、ゲート信号線ＧＥの動作（オン電圧などの印加）とを分離して、記述あるいは説明することができることは言うまでもない。つまり、ゲート信号線ＧＩとＧＲを操作することにより非表示とし、その後にゲート信号線ＧＥを操作してもよい。また、ゲート信号線ＧＥを操作することにより非表示としてもよい。
【０２４０】
２倍速（２画素行ずつオフセットキャンセル動作させる、または、映像信号の書き込み速度に対して２倍の速度で１画素行ずつオフセットキャンセル動作させる）でオフセットキャンセル動作を実施することにより、画像表示装置を非表示状態とし、非表示状態で、ゲート信号線ＧＳを順次走査して映像信号を表示画面５２２に書き込む（図４０の実線の映像信号書込み動作）。
【０２４１】
発光制御は、図４０の点線で示すように、ゲート信号線１７ｂ（ＧＥ）に表示画面５２２の画面上からオン電圧を印加し、第１のスイッチ用トランジスタ１１ｄをオンさせて、発光素子１５に駆動用トランジスタ１１ａから電流を供給し、画素１６に書き込まれた映像信号に基づき発光素子１５を発光させる。ゲート信号線１７ｂ（ＧＥ）にオン電圧を印加し、第１のスイッチ用トランジスタ１１ｄがオンすることにより、映像が表示画面５２２に表示される。
【０２４２】
本実施の形態において、立体（３Ｄ）映像の表示を行う場合には、図４０におけるａ期間が、左右のメガネのシャッターを切り替えるタイミングあるいは期間である。ｂ期間が、左眼に対応するメガネのシャッターを開く（透過状態とする）期間である（右眼に対応するメガネのシャッターを閉じる（非透過状態とする）期間である）。ｃ期間が、右眼に対応するメガネのシャッターを開く（透過状態とする）期間である（左眼に対応するメガネのシャッターを閉じる（非透過状態とする）期間である）。
【０２４３】
図４０、および、後に説明する図４９の３Ｄの駆動方法において、映像信号に関して、図３０および図３１などで説明した本実施の形態にかかる駆動方式を適用する。
【０２４４】
図４０および図４９の左眼映像（左映像）に、図３０、２２の左眼映像（左映像）を対応するように、ソースドライバ回路（ＩＣ）１４からソース信号線１８に映像信号を印加する。図４０および図４９の右眼映像（右映像）に、図３０、２２の右眼映像（右映像）を対応するように、ソースドライバ回路（ＩＣ）１４からソース信号線１８に映像信号を印加する。
【０２４５】
ただし、図４０および図４９では、画素１６の第１のスイッチ用トランジスタ１１ｄをオンオフ操作することなどによる「非表示」がある。したがって、図３０および図２１の駆動方式においても、図４０および図４９の「非表示」を実現できるようにする。しかし、「非表示」は、ソースドライバ回路（ＩＣ）１４からソース信号線１８への映像信号の送出タイミング、画素１６への映像信号の保持タイミング、ゲートドライバ回路（ＩＣ）１２での画素行の選択タイミングにより容易に実現できる。また、映像信号の印加タイミングは、図４１〜図４６などにおいて詳細に説明していることから、本開示では、説明を省略する。
【０２４６】
図４０に示す本実施の形態に係る表示装置による映像表示の場合には、表示画面全体についての書き込みの終了を待つことなく、順次発光を開始することができるので、１フレームの４０％以上の期間で発光素子１５の発光が可能である。また、この場合、右眼用の画像と左眼用の画像が表示される間の黒表示（非表示）期間に、メガネ切り替え期間（ａ期間）として、１〜３ｍｓを設けることができるので、３Ｄ映像表示を行うことができる。
【０２４７】
図４０に示した駆動方法では、図３９に示したゲートドライバ回路におけるＣＬＫ２の周期をＣＬＫ１の周期よりも長くすることにより、映像信号の書き込みの速度は、発光または非表示の速度よりも遅くなる。このため、従来の駆動方法における映像の書き込みの速度と同じ速度であるにもかかわらず、発光時間を多くとることができる。
【０２４８】
図４０に図示するように、一例として２倍速オフセットキャンセル動作を行い（一点鎖線）、１倍速で映像信号の書き込み動作（実線）を行い、また、２倍速で発光制御動作（点線）を行うことができる。映像信号の書き込みは、右眼映像（右映像）と左眼映像（左映像）を交互に行う、シャッターメガネ（図示せず）の右眼と左眼のシャッターの切り替えは、非表示および右眼映像（右映像）、左眼映像（左映像）の表示に同期させて実施する。右眼と左眼のシャッターの切り替えタイミングは、非表示および右眼映像（右映像）、左眼映像（左映像）の表示のタイミングに合わせて、移動（調整）できるように構成する。また、ａ期間、ｂ期間、ｃ期間における、メガネのシャッターを開く（あるいは閉じる）期間の長さを調整あるいは設定できるように構成する。
【０２４９】
このように、本実施の形態においては、全ての発光素子１５の消光が完了する前から、消光した画素１６への映像信号の書き込みを開始すると共に、全ての画素１６への書き込みが完了する前から書き込んだ画素における発光素子１５の発光を開始することができる。これにより、駆動周期を上げることなく、発光期間を長く確保することができ、高い表示輝度を確保することができる。
【０２５０】
本実施の形態においては、表示画面５２２に映像の書き込みと消去を同時に行うことができる。したがって、従来のように書き込みが終了するのを待ってから映像を一括表示しなくてもよく、書き込みが終了する前に表示画面５２２に画素行毎に映像を表示することができる。
【０２５１】
また、本実施の形態においては、オフセットキャンセル補正の走査を、映像信号書込みの走査よりも高速に行い、発光制御の走査を、映像信号書込みの走査よりも高速に行う。これにより、発光期間を長く確保することができ、駆動周期を上げることなく、均一で、良好な画像表示を実現できる。オフセットキャンセル動作（補正）を実施することにより、各画素は非表示（黒表示）となる。
【０２５２】
また、本実施の形態においては、オフセットキャンセル動作、発光制御動作の走査を、映像信号書込み動作の走査よりも高速に行う。オフセットキャンセル動作により、画素は非表示（黒表示）となり、発光制御動作により画素は表示（画像表示）状態になる。オフセットキャンセル動作が全画面に完了する前に、映像信号書込み動作を開始する。映像信号書込みは、左眼映像（左映像）と右眼映像（右映像）を交互に表示画面に書き込む。
【０２５３】
このような動作を実現するために、本実施の形態に係る画像表示装置は、以下のような駆動を行う。
【０２５４】
図４１に図示するように、時刻ｔ３のタイミングで、ゲート信号線１７ｄ（ＧＩ）、ゲート信号線１７ｃ（ＧＲ）にオン電圧が印加される。したがって、ゲート信号線１７ｃに接続されている第４のスイッチ用トランジスタ１１ｅがオンし、Ｖｒｅｆ電圧が駆動用トランジスタ１１ａのゲート端子に印加される。また、ゲート信号線１７ｄに接続されている第３のスイッチ用トランジスタ１１ｃがオンし、Ｖｉｎｉ電圧が駆動用トランジスタ１１ａのソース端子（コンデンサ１９の一端子）に印加される。この時、ゲート信号線１７ｂにはオフ電圧が印加されているため、第１のスイッチ用トランジスタ１１ｄは、オフ状態（非動作状態）であり、ゲート信号線１７ａ（ＧＳ）にもオフ電圧が印加されているため、第２のスイッチ用トランジスタ１１ｂもオフ状態である（図３５参照）。
【０２５５】
図４１に示す時刻ｔ５のタイミングで、ゲート信号線１７ｄ（ＧＩ）にオフ電圧が印加される。したがって、ゲート信号線１７ｄに接続されている第３のスイッチ用トランジスタ１１ｃがオフし、Ｖｉｎｉ電圧が駆動用トランジスタ１１ａのソース端子に印加することが停止される。また、ゲート信号線１７ｂ（ＧＥ）に接続されている第１のスイッチ用トランジスタ１１ｄがオンする。以上の状態で、オフセットキャンセル動作が実施される（図３５参照）。
【０２５６】
なお、図４１の時刻ｔ３、時刻ｔ５のタイミングにそれぞれ対応する図３５および図３６の状態は、発光素子１５には電流が供給されない。したがって、発光素子１５は非点灯状態（非表示状態）である。また、図３５および図３６の状態は、連続して実施する必要はなく、所定の時間間隔を保持して実施してもよい。また、時刻ｔ３でゲート信号線ＧＩとＧＲにオン電圧を印加し、時刻ｔ５でゲート信号線ＧＩにオフ電圧を印加し、ゲート信号線ＧＥにオン電圧を印加するとしたが、ゲート信号線１７ｂ（ＧＥ）は、時刻ｔ６でオン電圧を印加してよい。
【０２５７】
上記動作は、図４０に図示するように、画面の上方から画面の下方に順次実施され、オフセットキャンセル動作が行われる。
【０２５８】
ここで、図４２に示すように、図３５および図３６の動作は、２画素行ずつあるいは２画素以上ずつに、実施することもできる。図４２の（ａ）では、画素行３５１の１、２番目にオフセットキャンセル動作が実施され、ＣＬＫ１端子に入力されたクロックにより、２画素行分オフセットキャンセル動作の実施時刻がシフトされる（図４２の（ｂ））。つまり、画素行３５１の３、４番目にオフセットキャンセル動作が実施される。図４２の（ｃ）は、画面の下方の最終画素行（ｎ−１、ｎ）にオフセットキャンセル動作が実施された状態を示す。以上の動作を表示画面５２２の画面の上方から画面の下方に順次行い、表示画面５２２の画素行３５１においてオフセットキャンセル動作が実施される。
【０２５９】
オフセットキャンセル動作後、図４１の時刻ｔ７においてゲート信号線１７ｂ（ＧＥ）に再びオフ電圧を印加し、第１のスイッチ用トランジスタ１１ｄをオフ状態にして、各画素行３５１を非表示状態にする。
【０２６０】
また、図４１の時刻ｔ８で、ゲート信号線１７ａ（ＧＳ）にオン電圧が印加され、第２のスイッチ用トランジスタ１１ｂがオンになり、ソース信号線１８に印加されている映像信号が画素１６の駆動用トランジスタ１１ａのゲート端子に印加される。
【０２６１】
映像信号の印加は、図４３に図示するように、１画素行ずつ実施される。ゲート信号線１７ａへの選択位置の制御は、走査・出力バッファ回路８１ｄで実施される。選択位置のシフトは、ＣＬＫ２端子に印加するクロックで制御される。図４３の（ａ）では、画素行３５１の１番目の画素行に映像信号の書き込みが実施され、ＣＬＫ２端子に入力されたクロックにより、１画素行分映像信号の書き込みの実施の時刻がシフトされる（図４３の（ｂ））。つまり、画素行３５１の２番目に映像信号の書き込みが実施される。図４３の（ｃ）は、画面下の最終画素行ｎに映像信号の書き込みが実施された状態を示す。以上の動作を表示画面５２２の画面の上方から画面の下方に順次行い、表示画面５２２の画素行３５１に映像信号書込みが実施される。
【０２６２】
映像信号の書込み後、映像表示を行う際には、図４１の時刻ｔｉで、ゲート信号線１７ｂ（ＧＥ）に表示画面５２２の画面の上方からオン電圧が印加され、第１のスイッチ用トランジスタ１１ｄがオンになり、発光素子１５に駆動用トランジスタ１１ａから電流が供給され、画素１６に書き込まれた映像信号に基づき発光素子１５が発光する。ｔｉのｉは任意の整数であり、ｉは、表示パネルの表示輝度に対応させて決定する。
【０２６３】
図４４は、図４１の次の状態を図示している。オフセットキャンセル動作を行うゲート信号線１７ｄ（ＧＩ）、１７ｃ（ＧＲ）、１７ｂ（ＧＥ）のオンまたはオフ電圧を印加する位置は、２画素行シフトされ、図４１の時刻ｔ３から図４４では時刻ｔ５となっている。映像信号を印加する位置するゲート信号線１７ａ（ＧＳ）のオンまたはオフ電圧を印加する時刻は、１画素行シフトされ、図４１の時刻ｔ８から図４４では時刻ｔ９となっている。
【０２６４】
図４５は、図４４の次の状態を図示している。図４５は、オフセットキャンセル動作を行うゲート信号線１７ｄ（ＧＩ）、１７ｃ（ＧＲ）、１７ｂ（ＧＥ）のオンまたはオフ電圧を印加する時刻は、２画素行シフトされ、図４４の時刻ｔ５から図４５では時刻ｔ７となっている。映像信号を印加するゲート信号線１７ａ（ＧＳ）の、オンまたはオフ電圧を印加する時刻は、１画素行シフトされ、図４４では時刻ｔ９であったが、図４５では時刻ｔ１０となっている。
【０２６５】
以上の動作では、オフセットキャンセル動作を行うためのクロック端子ＣＬＫ１のクロック周波数と、映像信号を表示画面５２２に書き込む動作を行うクロック端子ＣＬＫ２のクロック動作周波数は、同一の周波数である。つまり、図３９に示したゲートドライバ回路における走査・出力バッファ回路３３１ａ〜３３１ｃと、走査・出力バッファ回路３３１ｄの動作周波数とは同一である。したがって、ＣＬＫ１端子とＣＬＫ２端子とは共通に接続してもよい。
【０２６６】
なお、以上の実施の形態では、２画素行ずつ選択してオフセットキャンセルを実施するとしたが、これに限定するものではなく、３画素行あるいはそれ以上の画素行３５１について、同時にオフセットキャンセル動作を実施してもよい。また、第１および第２画素行をオフセットキャンセル動作し、次のクロックで、第２および第３画素行にオフセットキャンセル動作を実施するなど、オフセットキャンセルを実施する画素行３５１をオーバーラップさせてもよい。
【０２６７】
また、以上の実施の形態では、２画素行ずつ選択してオフセットキャンセルを実施するとしたが、オフセットキャンセル動作を、２倍速で行ってもよい。つまり、ゲートドライバ回路（ＩＣ）１２およびソースドライバ回路（ＩＣ）１４に入力するクロック周波数を２倍にし、映像信号書込み動作の速度の２倍速で走査・出力バッファ回路３３１を動作させる。画素行３５１の選択は、図４３に示すように、１画素行ずつ画素行３５１を選択してオフセットキャンセル動作を実施してもよい。
【０２６８】
また、図３９に示したゲートドライバ回路（ＩＣ）１２における走査・出力バッファ回路３３１ａ〜３３１ｃのＣＬＫ１端子へのクロック周波数を、走査・出力バッファ回路３３１ｄのＣＬＫ２端子へのクロック周波数の２倍とすればよい。なお、以上の説明は、オフセットキャンセル動作について説明したが、発光制御動作に関しても同様である。
【０２６９】
以上の実施の形態では、映像信号の書き込み動作は、１画素行ずつ選択して映像信号書込みを実施するとしたが、これに限定するものではなく、２画素行あるいはそれ以上の画素行３５１を、同時に選択して映像信号書込み動作を実施してもよい。また、第１および第２画素行に映像信号を書き込み、次のクロックで第２および第３画素行に映像信号の書き込み動作を実施するなど、映像信号書込みを実施する画素行３５１をオーバーラップさせてもよい。
【０２７０】
また、図４６に図示するように、Ｖｉｎｉ電圧を印加する期間を１Ｈ期間（１画素行の選択期間）としてもよい（ゲート信号線ＧＩ：時刻ｔ３〜ｔ４）。また、オフセットキャンセル動作を行う期間を１Ｈ期間としてもよい（ゲート信号線ＧＥ：時刻ｔ５〜ｔ６）。Ｖｉｎｉ電圧を印加する期間とオフセットキャンセル動作を行う期間を１Ｈ期間以上の期間離してもよい（時刻ｔ４〜ｔ５）。
【０２７１】
図４７は、図４０の一部を抜き出した図であり、本実施の形態に係る駆動方法を説明するための説明図である。図４７において、画面上方向に位置する画素行ａでは、オフセットキャンセル動作を実施してから映像書込み動作を実施するまでの時間は、Ａ期間である。画面の下方に位置する画素行ｂでは、オフセットキャンセル動作を実施してから映像書込み動作を実施するまでの時間はＢ期間である。つまり、表示画面５２２の上方の画素行（映像書き換えフレームの最初）では、オフセットキャンセル動作を実施してから映像書き込み動作を実施するまでの時間が短いのに対して、表示画面５２２の下方の画素行（映像書き換えフレームの最後）では、オフセットキャンセル動作を実施してから映像書き込み動作を実施するまでの時間が長い。
【０２７２】
図４８は、本実施の形態に係る画素構成の説明図である。発光素子１５は、カットオフ状態の時には、コンデンサ１９ｂ（Ｃｅｌ）とみなせる。一方、アノード配線あるいは電極には抵抗Ｒｄがあり、カソード配線あるいは電極には抵抗Ｒｓがある。アノード電流Ｉｄが流れると抵抗Ｒｄにより、画素１６のアノード端子に印加される電圧が変動する。カソード電流Ｉｓが流れると抵抗Ｒｓにより、画素１６のカソード端子に印加される電圧が変動する。
【０２７３】
発光素子１５がカットオフ状態の時には、発光素子１５はコンデンサ１９ｂ（Ｃｅｌ）とみなせるため、コンデンサ１９（Ｃｓ）とコンデンサ１９ｂ（Ｃｅｌ）とは直列に接続された状態になる。したがって、カソード電極と駆動用トランジスタ１１ａのゲート端子とは、２つのコンデンサＣｓとＣｅｌで電気的に接続された状態とみなせる。そのため、カソード電流Ｉｓが流れ、カソード電極の電位が電圧波形４１１ａのように変動すると、駆動用トランジスタ１１ａのゲート端子電位も電圧波形４１１ｂのように変動する。駆動用トランジスタ１１ａのゲート端子の変動は、画素１６に書き込んだあるいは書き込む映像信号の変動とみなせる。本実施の形態に係る画素１６の構成では、カソード電圧の変動により、駆動用トランジスタ１１ａのゲート端子が変動し、画素１６に書き込んだあるいは書き込む映像信号の変動が発生する可能性がある。
【０２７４】
したがって、図４７に示すように、図４０に示す駆動方法では、表示画面５２２の上方の画素行（映像書き換えフレームの最初）では、オフセットキャンセル動作を実施してから映像書き込み動作を実施するまでの時間が短いため、カソード電極の電位変動の影響を受けにくい。しかし、表示画面５２２の下方の画素行（映像書き換えフレームの最後）では、オフセットキャンセル動作を実施してから映像書き込み動作を実施するまでの時間が長いため、カソード電極の電位変動の影響を受けやすいという問題がある。
【０２７５】
図４９は、図４７で説明した問題を解決する他の実施の形態にかかる駆動方法の説明図である。また、図５０は図４９の第２の実施の形態を実現するためのゲートドライバ回路（ＩＣ）１２の構成図である。
【０２７６】
図５０において、３３１は、走査・出力バッファ回路であり、３３２はゲートドライバ回路（ＩＣ）１２の出力端子である。３３３はゲートドライバ回路（ＩＣ）１２の入力端子、３３４はゲートドライバ回路（ＩＣ）１２の接続端子である。図３９に示したゲートドライバ回路（ＩＣ）１２との主な差異は、走査・出力バッファ回路３３１ｄに２つのシフトレジスタ４３１（４３１ａ、４３１ｂ）を有している点である。
【０２７７】
シフトレジスタ４３１ａは、クロック端子ＣＬＫ１と接続されており、クロック端子ＣＬＫ１は、走査・出力バッファ回路３３１ａ〜３３１ｃにも接続されている。つまり、走査・出力バッファ回路３３１ａ〜３３１ｃと、走査・出力バッファ回路３３１ｄのシフトレジスタ４３１ａとは同一のクロック周波数で動作する。また、シフトレジスタ４３１ａにはデータ端子ＤＥａが接続されている。
【０２７８】
一方、走査・出力バッファ回路３３１ｄのシフトレジスタ４３１ｂは、クロック端子ＣＬＫ２が接続され、データ端子ＤＥｂが接続されている。したがって、走査・出力バッファ回路３３１ｄのシフトレジスタ４３１ａとシフトレジスタ４３１ｂとは独立したクロック周波数で動作する。
【０２７９】
シフトレジスタ４３１ａの出力ａと、シフトレジスタ４３１ｂの出力ｂとは、ＯＲ回路４３２で論理ＯＲがとられる。したがって、シフトレジスタ４３１ａと４３１ｂに選択されているデータの双方がゲート信号線ＧＥの選択電圧（オン電圧）の出力となる。かかる構成により、シフトレジスタ４３１ａの出力ａに基づく第１のパルスと、シフトレジスタ４３１ｂの出力ｂに基づく第２のパルスとを含む走査信号として、ゲート信号線ＧＥに出力することが可能となる。他の点は、図３９などで説明した実施の形態と同等あるいは類似であるので説明を省略する。
【０２８０】
このように、本実施の形態におけるゲートドライバ回路（ＩＣ）１２は、第１の信号を第１の周期を有するクロック信号に基づいて出力する第１のシフトレジスタと、第２の信号を第１の周期とは異なる第２の周期を有するクロック信号に基づいて出力する第２のシフトレジスタと、入力された第１の信号及び第２の信号の論理和または論理積を求め、第１の信号に基づく第１のパルス及び第２の信号に基づく第２のパルスを含む選択信号として出力する論理回路とを備える。
【０２８１】
これにより、異なる周期のパルス信号を選択信号としてゲート信号線１７（１７ａ、１７ｂ、１７ｃ、１７ｄ）に出力することができるので、全ての画素行における発光素子１５のオフセットキャンセル動作が完了する前から発光素子１５の発光を開始することができる。これにより、発光期間を長く確保することができ、立体表示（３Ｄ表示）において駆動周期を上げることなく高い表示輝度を確保することができる。
【０２８２】
図４９は、本実施の形態に係る駆動方式の説明図である。また、図５１〜図５４は、本実施の形態に係る駆動方法のタイミングチャートである。
【０２８３】
図４９の駆動方法において、図４０と同様に、図５０のゲートドライバ回路におけるＣＬＫ１端子に入力するクロック周波数は、ＣＬＫ２端子のクロック周波数の２倍の動作周波数に設定されるか、または、ＣＬＫ１端子とＣＬＫ２端子とに入力される周波数が同一とされ、図４２に図示するように、複数画素行が同時に選択されるように制御される。
【０２８４】
なお、ＧＥａとは、シフトレジスタ４３１ａの出力であり、ＧＥｂとは、シフトレジスタ４３１ｂの出力である。ＧＥａとＧＥｂの出力がＯＲ回路で論理ＯＲされて、ゲート信号線ＧＥの出力となる。シフトレジスタ４３１ａには、入力データ端子ＤＥａのデータにより選択位置が制御される。シフトレジスタ４３１ｂには、入力データ端子ＤＥｂのデータにより選択位置が制御される。
【０２８５】
入力データを２データ連続とすることにより、図４２に図示するように２画素行に連続して選択電圧（オン電圧）が印加される。また、単独の選択電圧（オン電圧）が入力されることにより、図４３に図示するように１画素行に選択電圧（オン電圧）が印加される。以上の事項は、他の実施の形態でも同様である。
【０２８６】
図４９において、２点鎖線で示す消灯（非表示）制御動作では、シフトレジスタ４３１ｂの出力がゲート信号線ＧＥに出力され、第１のスイッチ用トランジスタ１１ｄをオフさせる。点線で示す点灯（表示）制御動作では、シフトレジスタ４３１ｂの出力がゲート信号線ＧＥに出力され、第１のスイッチ用トランジスタ１１ｄをオンさせて、発光素子１５に電流が供給される。
【０２８７】
オフセットキャンセル動作は、１倍速で実施される。シフトレジスタ４３１ａの出力（走査・出力バッファ回路３３１ｄの出力）により、ゲート信号線ＧＥにオン電圧が印加され、走査・出力バッファ回路３３１ａの出力により、ゲート信号線ＧＲにオン電圧が印加されて、対応する画素行にＶｒｅｆ電圧が印加される。また、走査・出力バッファ回路３３１ｂの出力により、ゲート信号線ＧＩにオン電圧が印加されて、対応する画素行にＶｉｎｉ電圧が印加される。ゲート信号線ＧＥ、ＧＲ、ＧＩの制御により、オフセットキャンセル動作（一点鎖線）が行われた後、走査・出力バッファ回路３３１ｃにより、ゲート信号線ＧＳにオン電圧が印加され、第２のスイッチ用トランジスタ１１ｂをオンさせて、映像信号が画素行に書き込まれる（図４９の実線で示す映像信号書込み動作）。以上の駆動における画素回路の動作は、図３５〜図３６などを用いて説明しているので説明を省略する。
【０２８８】
図４７の実施の形態では、画面の上方と画面の下方とでは、オフセットキャンセル動作から映像信号の書き込みまでの期間が異なり、図４８で説明したように画素１６に保持される映像信号が変動するという問題があった。一方、図４９に示す本実施の形態に係る駆動方式では、オフセットキャンセル動作後すぐに、あるいは、所定の一定期間後に、映像信号が画素に書き込まれる。したがって、画素１６に保持される映像信号の変動がなく、良好な画像表示を実現できる。
【０２８９】
図４９に示した実施の形態においては、複数の発光素子１５の最後の行の消灯状態の開始より前に、複数の発光素子１５の最初の行への映像信号の書き込みが開始され、複数の発光素子１５の最初の行の発光状態の開始より後に、複数の発光素子１５の最後の行への映像信号の書き込みが終了されるように制御される。
【０２９０】
本実施の形態においては、消灯制御動作と発光（点灯）制御動作は、映像信号書き込みの走査よりも高速に行われる。オフセットキャンセル補正の走査は、映像信号書き込みの走査と同速度で行われ、点灯制御の走査は、映像信号書き込みの走査よりも高速に行われる。すなわち、複数の画素行について、オフセットキャンセル補正の走査をする期間は、映像信号書込みの走査をする期間とほぼ同一であり、点灯制御の走査をする期間は、映像信号書込みの走査をする期間よりも短い。これにより、発光期間を長く確保することができ、駆動周期を上げることなく、均一で、良好な画像表示を実現できる。
【０２９１】
このように、本実施の形態においては、全ての発光素子１５の消光が完了する前から消光した画素１６への書き込みが開始されると共に、全ての画素１６への書き込みが完了する前から書き込んだ画素における発光素子１５の発光が開始される。これにより、駆動周期を上げることなく、発光期間を長く確保することができ、高い表示輝度を確保することができる。
【０２９２】
このような動作を実現するために、本実施の形態に係る画像表示装置は、以下のような駆動を行う。
【０２９３】
図５１に図示するように、時刻ｔ３のタイミングで、ゲート信号線１７ｄ（ＧＩ）、ゲート信号線１７ｃ（ＧＲ）にオン電圧が印加される。したがって、ゲート信号線１７ｃに接続されている第４のスイッチ用トランジスタ１１ｅがオンし、Ｖｒｅｆ電圧が駆動用トランジスタ１１ａのゲート端子に印加される。また、ゲート信号線１７ｄに接続されている第３のスイッチ用トランジスタ１１ｃがオンし、Ｖｉｎｉ電圧が駆動用トランジスタ１１ａのソース端子（コンデンサ１９の一端子）に印加される。この時、ゲート信号線１７ｂ（ＧＥ）にはオフ電圧が印加されているため、第１のスイッチ用トランジスタ１１ｄは、オフ状態（非動作状態）であり、ゲート信号線１７ａ（ＧＳ）にもオフ電圧印加されているため、第２のスイッチ用トランジスタ１１ｂもオフ状態である（図３５参照）。
【０２９４】
時刻ｔ４のタイミングで、ゲート信号線１７ｄ（ＧＩ）にオフ電圧が印加される。したがって、ゲート信号線１７ｄに接続されている第３のスイッチ用トランジスタ１１ｃがオフし、Ｖｉｎｉ電圧が駆動用トランジスタ１１ａのソース端子に印加することが停止される。
【０２９５】
時刻ｔ５のタイミングで、シフトレジスタ４３１ａの出力ＧＥａがゲート信号線１７ｂ（ＧＥ）の出力となる。これにより、ゲート信号線１７ｂ（ＧＥ）に接続されている第１のスイッチ用トランジスタ１１ｄがオンする（図３５参照）。以上の状態でオフセットキャンセル動作が実施される（図３５参照）。
【０２９６】
図５１の時刻ｔ３、時刻ｔ５のタイミングにそれぞれ対応する図３５および図３６の状態は、発光素子１５には電流が供給されない。したがって、発光素子１５は非点灯状態（非表示状態）である。また、図３５および図３６の状態は、連続して実施する必要はなく、所定の時間間隔を保持して実施してもよい。図５１では、ゲート信号線１７ｄ（ＧＩ）にオフ電圧を印加してから、第１のスイッチ用トランジスタ１１ｄをオンするまでの期間に１Ｈの期間をあけているが、これに限定されるものではない。
【０２９７】
また、時刻ｔ７で、ゲート信号線１７ａ（ＧＳ）にオン電圧を印加し、第２のスイッチ用トランジスタ１１ｂをオンさせて映像信号を該当画素行に書き込む。
【０２９８】
図５１では、時刻ｔ３でゲート信号線ＧＩとＧＲにオン電圧を印加し、時刻ｔ４でゲート信号線ＧＩにオフ電圧を印加し、時刻ｔ５でゲート信号線ＧＥにオン電圧を印加するとしたが、ゲート信号線１７ｂ（ＧＥ）には、時刻ｔ４でオン電圧を印加してよい。また、時刻ｔ７でゲート信号線ＧＳにオン電圧を印加するとしたが、ゲート信号線ＧＳは、時刻ｔ６でオン電圧を印加してよい。また、時刻ｔ８でオン電圧を印加してもよい。
【０２９９】
上記動作を、図４９に図示するように、画面の上方から画面の下方に順次実施し、オフセットキャンセル動作と、映像信号の書き込み動作を実施する。
【０３００】
図４９の駆動において、図３５および図３６の動作は、図４３に図示するように、１画素行ずつ実施される。図４３の（ａ）では、画素行３５１の１番目にオフセットキャンセルが実施され、また、映像信号が画素行に書き込まれる。ＣＬＫ１端子に入力されたクロックにより、１画素行分オフセットキャンセル動作の実施の時刻がシフトされる（図４３の（ｂ））。つまり、画素行３５１の２番目にオフセットキャンセル動作が実施される。図４３の（ｃ）は、画面の下方の最終画素行１、ｎにオフセットキャンセル動作が実施された状態を示す。以上の動作を表示画面５２２の画面の上方から画面の下方に順次行い、表示画面５２２の画素行３５１にオフセットキャンセル動作と映像信号書き込みとが実施される。
【０３０１】
発光制御動作は、シフトレジスタ４３１ｂにより制御される。シフトレジスタ４３１ｂは、ゲート信号線１７ｂ（ＧＥ）にオン電圧を出力し、第１のスイッチ用トランジスタ１１ｄをオンさせる。
【０３０２】
図４９に示す本実施の形態に係る駆動方式では、オフセットキャンセル動作後すぐに、あるいは、所定の一定期間後に、映像信号が画素１６に書き込まれる。したがって、画素１６に保持される映像信号の変動がなく、良好な画像表示を実現できる。なお、一定期間とは、１フレーム期間以内の期間である。
【０３０３】
図５２は、図５１の次の状態を図示している。オフセットキャンセル動作を行うゲート信号線１７ｄ（ＧＩ）、１７ｃ（ＧＲ）、１７ｂ（ＧＥ）のオンまたはオフ電圧を印加する時刻は、１画素行シフトされ、図５１に示した時刻ｔ３ないしｔ６から、図５２では時刻ｔ４ないしｔ７となっている。映像信号を印加するタイミングを制御するゲート信号線１７ａ（ＧＳ）にオンまたはオフ電圧を印加する時刻は、１画素行シフトされ、図５１に示した時刻７ないし時刻ｔ８から、図５２では時刻ｔ８ないし時刻ｔ９となっている。なお、ゲート信号線ＧＥには、時刻ｔ７でオフ電圧が印加される。
【０３０４】
図５３は、図５２の次の状態を図示している。オフセットキャンセル動作を行うゲート信号線１７ｄ（ＧＩ）、１７ｃ（ＧＲ）、１７ｂ（ＧＥ）のオンまたはオフ電圧を印加する時刻は、１画素行シフトされ、図５２に示した時刻ｔ４ないし時刻ｔ７から、図５３では時刻ｔ５ないし時刻ｔ８となっている。映像信号を印加するタイミングを制御するゲート信号線１７ａ（ＧＳ）にオンまたはオフ電圧を印加する時刻は、１画素行シフトされ、図５３では時刻ｔ９ないし時刻ｔ１０となっている。なお、ゲート信号線ＧＥには、時刻ｔ８でオフ電圧が印加される。
【０３０５】
図５４は、図５３の次の状態を図示している。図５４は、オフセットキャンセル動作を行うゲート信号線１７ｄ（ＧＩ）、１７ｃ（ＧＲ）、１７ｂ（ＧＥ）のオンまたはオフ電圧を印加する時刻は、１画素行シフトされ、図５３の時刻ｔ５ないし時刻ｔ８から図５４では時刻ｔ６ないし時刻ｔ９となっている。映像信号を印加するタイミングを制御するゲート信号線１７ａ（ＧＳ）にオンまたはオフ電圧を印加する時刻は、１画素行シフトされ、図５４では時刻ｔ１０ないし時刻ｔ１１となっている。なお、ゲート信号線ＧＥは、時刻ｔ９でオフ電圧が印加される。
【０３０６】
本実施の形態では、図２７の（ａ）に示したように、オン電圧またはオフ電圧は、画素行３５１ａには、ＧＥ、ＧＩ、ＧＳ、ＧＲの順に印加することもできるし、図２７の（ｂ）に示したように、画素行３５１ａには、ＧＩ、ＧＥ、ＧＳ、ＧＲの順に印加することもできる。図２７の（ａ）と図２７の（ｂ）は、ゲートドライバ回路（ＩＣ）１２の各出力端子３３２が画素１６のレイアウト（各ゲート信号線の引き出し位置、配置）により、出力端子の機能を変更する必要があることを意味する。たとえば、１番目の端子は、ゲート信号線ＧＥして動作することもあれば、ＧＲ、ＧＩ、ＧＳとして動作することもある。本実施の形態におけるゲートドライバ回路（ＩＣ）１２は、どのゲート信号線１７（１７ａ、１７ｂ、１７ｃ、１７ｄ）としても機能するように構成されている。たとえば、各ゲート信号線１７（１７ａ、１７ｂ、１７ｃ、１７ｄ）のオン電圧は、それぞれあるいは４つの走査・出力バッファ回路３３１のうち、少なくとも２つの走査・出力バッファ回路３３１には独立に設定できるように構成されている。オフ電圧についても同様である。
【０３０７】
本実施の形態に係る画像表示装置では、画素１６の位置に対応して、赤（Ｒ）、緑（Ｇ）、青（Ｂ）からなるカラーフィルターを形成することができる。なお、カラーフィルターは、ＲＧＢに限定されものではない、シアン（Ｃ）、マゼンダ（Ｍ）、イエロー（Ｙ）色の画素を形成してもよい。また、白（Ｗ）の画素を形成してもよい。つまり、表示画面５２２にＲ、Ｇ、Ｂ、Ｗ画素１６をマトリックス状に配置する。
【０３０８】
画素１６は、ＲＧＢの３画素で正方形の形状となるように作製することができる。したがって、Ｒ、Ｇ、Ｂの各画素は縦長の画素形状となる。したがって、レーザー照射スポットを縦長にしてアニールすることにより、１画素内ではトランジスタ１１の特性バラツキが発生しないようにすることができる。
【０３０９】
なお、Ｒ、Ｇ、Ｂの画素開口率は、異ならせてもよい。開口率を異ならせることにより、各ＲＧＢの発光素子１５に流れる電流密度を異ならせることができる。電流密度を異ならせることにより、ＲＧＢの発光素子１５の劣化速度を同一にすることができる。劣化速度を同一にすれば、画像表示装置のホワイトバランスずれが発生しない。
【０３１０】
また、必要に応じて、白（Ｗ）の画素を形成する。画素１６Ｗを形成または配置することにより、色ピーク輝度を良好に実現できる。また、高輝度表示を実現できる。つまり、画素１６は、Ｒ、Ｇ、Ｂ、Ｗから構成される。Ｒ、Ｇ、Ｂ、Ｗに構成することにより、高輝度化が可能となる。また、Ｒ、Ｇ、Ｂ、Ｇとする構成も例示される。
【０３１１】
表示装置のカラー化は、マスク蒸着により行うが、本実施の形態はこれに限定するものではない。たとえば、青色発光のＥＬ層を形成し、発光する青色光を、Ｒ、Ｇ、Ｂの色変換層（ＣＣＭ：カラーチェンジミディアムズ）でＲ、Ｇ、Ｂ光に変換してもよい。
【０３１２】
なお、表示装置の光出射面には、円偏光板（円偏光フィルム）（図示せず）を配置することができる。偏光板と位相フィルムを一体したものは円偏光板（円偏光フィルム）と呼ばれる。
【０３１３】
上記実施の形態の各々の図で述べた内容（一部でもよい）を様々な電子機器に適用することができる。具体的には、電子機器の表示部に適用することができる。
【０３１４】
そのような電子機器として、ビデオカメラ、デジタルカメラ、ゴーグル型ディスプレイ、ナビゲーションシステム、音響再生装置（カーオーディオ、オーディオコンポ等）、コンピュータ、ゲーム機器、携帯情報端末（モバイルコンピュータ、携帯電話、携帯型ゲーム機又は電子書籍等）、記録媒体を備えた画像再生装置（具体的には、Ｄｉｇｉｔａｌ  Ｖｅｒｓａｔｉｌｅ  Ｄｉｓｃ（ＤＶＤ）等の記録媒体を再生し、その画像を表示しうるディスプレイを備えた装置）などが挙げられる。
【０３１５】
以下、本実施の形態に係る画像表示装置を備えた電子機器について、例を挙げて説明する。
【０３１６】
図５５は、ディスプレイであり、筐体５５２、保持台５５３、支柱５５４および画像表示装置（ＥＬ表示パネル）２６１を含む。図５５に示すディスプレイは、様々な情報（静止画、動画、テキスト画像など）を表示部に表示する機能を有する。なお、図５５に示すディスプレイが有する機能はこれに限定されず、様々な機能を有することができる。
【０３１７】
図５６は、カメラであり、シャッター５６１、ビューファインダ５６２、カーソル５６３を含む。図５６に示すカメラは、静止画を撮影する機能を有する。動画を撮影する機能を有する。なお、図５６示すカメラが有する機能はこれに限定されず、様々な機能を有することができる。
【０３１８】
図５７は、コンピュータであり、キーボード５７１、タッチパッド５７２を含む。図５７に示すコンピュータは、様々な情報（静止画、動画、テキスト画像など）を表示部に表示する機能を有する。なお、図５７に示すコンピュータが有する機能はこれに限定されず、様々な機能を有することができる。
【０３１９】
かかる電子機器の表示部に、上記実施の形態で説明した画像表示装置（表示パネル）もしくは駆動方式を用いることで、上述の図５５、図５６、図５７の情報機器などを高画質化することができ、また、低コスト化を実現できる。また、検査、調整を容易に実施することができる。
【０３２０】
本実施の形態は、他の実施の形態と適宜組み合わせて実施することが可能である。
【０３２１】
たとえば、図５７のノート型パーソナルコンピュータの表示装置２６１として、上述した実施の形態で図示した、あるいは説明した表示装置（表示パネル）を採用し、また、情報機器を構成することができることは言うまでもない。
【０３２２】
また、各図面等で説明した内容は特に断りがなくとも、他の実施の形態と組み合わせることができる。たとえば、図２に示した実施の形態に係る画像表示装置にタッチパネルなどを付加し、図５５、図５６、図５７に図示する情報表示装置などを構成することができる。
【０３２３】
また、上述した実施の形態に係る画像表示装置とは、情報機器などのシステム機器を含む概念である。表示パネルの概念は、広義には情報機器などのシステム機器を含む。
【産業上の利用可能性】
【０３２４】
本発明は、特に、アクティブ型の有機ＥＬフラットパネルディスプレイに有用である。
【符号の説明】
【０３２５】
１１  トランジスタ（ＴＦＴ）
１２  ゲートドライバ回路（ＩＣ）
１４  ソースドライバ回路（ＩＣ）
１５  発光素子
１６  画素
１７  ゲート信号線
１８  ソース信号線
１９  コンデンサ
２０  表示パネル
２１  出力回路
２６１  画像表示パネル
３３１  走査・出力バッファ回路
３３２  出力端子
３３３  入力端子
３３４  接続端子
３５１  画素行
４１１ａ、４１１ｂ  電圧波形
４３１  シフトレジスタ
４３２  ＯＲ回路
５２１  ＣＯＦ
５２２  表示画面
５２３  ソースプリント基板
５２４  ゲートプリント基板
５５２  筐体
５５３  保持台
５５４  支柱
５６１  シャッター
５６２  ビューファインダ
５６３  カーソル
５７１  キーボード
５７２  タッチパッド
【図１】
2015094789.tif 000003
【図２】
2015094789.tif 000004
【図３】
2015094789.tif 000005
【図４】
2015094789.tif 000006
【図５】
2015094789.tif 000007
【図６】
2015094789.tif 000008
【図７】
2015094789.tif 000009
【図８】
2015094789.tif 000010
【図９】
2015094789.tif 000011
【図１０】
2015094789.tif 000012
【図１１】
2015094789.tif 000013
【図１２】
2015094789.tif 000014
【図１３】
2015094789.tif 000015
【図１４】
2015094789.tif 000016
【図１５】
2015094789.tif 000017
【図１６】
2015094789.tif 000018
【図１７】
2015094789.tif 000019
【図１８】
2015094789.tif 000020
【図１９】
2015094789.tif 000021
【図２０】
2015094789.tif 000022
【図２１】
2015094789.tif 000023
【図２２】
2015094789.tif 000024
【図２３】
2015094789.tif 000025
【図２４】
2015094789.tif 000026
【図２５】
2015094789.tif 000027
【図２６】
2015094789.tif 000028
【図２７】
2015094789.tif 000029
【図２８】
2015094789.tif 000030
【図２９】
2015094789.tif 000031
【図３０】
2015094789.tif 000032
【図３１】
2015094789.tif 000033
【図３２】
2015094789.tif 000034
【図３３】
2015094789.tif 000035
【図３４】
2015094789.tif 000036
【図３５】
2015094789.tif 000037
【図３６】
2015094789.tif 000038
【図３７】
2015094789.tif 000039
【図３８】
2015094789.tif 000040
【図３９】
2015094789.tif 000041
【図４０】
2015094789.tif 000042
【図４１】
2015094789.tif 000043
【図４２】
2015094789.tif 000044
【図４３】
2015094789.tif 000045
【図４４】
2015094789.tif 000046
【図４５】
2015094789.tif 000047
【図４６】
2015094789.tif 000048
【図４７】
2015094789.tif 000049
【図４８】
2015094789.tif 000050
【図４９】
2015094789.tif 000051
【図５０】
2015094789.tif 000052
【図５１】
2015094789.tif 000053
【図５２】
2015094789.tif 000054
【図５３】
2015094789.tif 000055
【図５４】
2015094789.tif 000056
【図５５】
2015094789.tif 000057
【図５６】
2015094789.tif 000058
【図５７】
2015094789.tif 000059